(57)【特許請求の範囲】
【請求項１】
多重タッチを支援する静電式タッチスクリーンと連携されたシステムにおいて実行されるスタンプタッチ認証方法であって、
タッチスタンプに具備されたタッチ部の距離関係と角度関係の中で少なくとも一つを含む設計上の幾何学的位置関係を含むタッチ認証条件を保存媒体に保存する第１段階と、
前記タッチスタンプの前記タッチ部を前記静電式タッチスクリーンにタッチすることにより認識される構成要素値を含むタッチ認識情報を受信する第２段階と、
前記構成要素値を利用して前記静電式タッチスクリーン上のタッチを通じて認識されたタッチ点間の相互位置関係を読み取り、前記タッチ点間の前記相互位置関係が、前記タッチスタンプの前記タッチ部を前記静電式タッチスクリーン上にタッチすることにより形成できる位置関係の範囲内に入るか否かを判定する第３段階と、
前記タッチ点間の前記相互位置関係が、前記タッチスタンプの前記タッチ部をタッチすることにより形成できる前記位置関係の範囲内に入ると判定された場合に、前記構成要素値を利用して、前記設計上の幾何学的位置関係と比較するための前記タッチ点の幾何学的位置関係を算出する第４段階と、
算出された前記タッチ点の前記幾何学的位置関係が許容された誤差範囲内で前記タッチ認証条件に含まれる前記設計上の幾何学的位置関係とマッチングするか否かを解析する第５段階と、
算出された前記タッチ点の前記幾何学的位置関係が許容された誤差範囲内で前記設計上の幾何学的位置関係とマッチングするか否かを解析したタッチ認証結果を生成する第６段階と、を含み、
前記第２段階は、
前記タッチ部の前記静電式タッチスクリーンへのタッチを、同時タッチ条件、固定タッチ条件、静的タッチ条件、動的タッチ条件の少なくとも１つのタッチ条件を選択的に適用して判断すること、を含み、
前記第５段階は、
前記タッチ点間の前記相互位置関係を読み取ることにより、前記タッチスタンプにおける設計上の固定位置に配置される単一の設計上のタッチ部に対応する単一の設計上のタッチ点を認識することと、
前記認識された設計上のタッチ点を基準点として利用することにより、算出された前記幾何学的位置関係が、許容された誤差範囲内で前記タッチ認証条件に含まれる前記設計上の幾何学的位置関係とマッチングするか否かを解析すること、
を含み、
前記単一の設計上のタッチ点が認識された際に、前記タッチ点、または算出された前記幾何学的位置関係が、前記タッチ認証条件に含まれる前記設計上の幾何学的位置関係とマッチングするように、前記認識された設計上のタッチ点を前記基準点として利用することにより座標回転を行うこと、
をさらに含むスタンプタッチ認証方法。
【請求項２】
前記設計上の幾何学的位置関係は、前記タッチスタンプを設計または製作する過程で、予め定められた数のタッチ部を配置するための座標関係をさらに含む請求項１に記載のスタンプタッチ認証方法。
【請求項３】
前記タッチ認識情報の前記構成要素値は、前記タッチスタンプがタッチされる前記静電式タッチスクリーンに対応する座標系上の座標値を含み、
前記構成要素値を、前記設計上の幾何学的位置関係に対応する座標系上の座標値に変換すること、
を含む請求項１に記載のスタンプタッチ認証方法。
【請求項４】
前記第３段階は、前記構成要素値を利用して確認された有効なタッチ点の数と前記タッチスタンプに具備された前記タッチ部の数を比較することと、それらの数が互いに同じか否かを判定すること、
を含む請求項１に記載のスタンプタッチ認証方法。
【請求項５】
前記第３段階は、前記構成要素値を利用して確認された前記タッチ点間の距離と前記タッチスタンプに前記タッチ部を配置するために設定される最小区別認識距離を比較することと、前記タッチ点間の距離が前記最小区別認識距離と等しいか、あるいはそれより大きいか否かを判定すること、
を含む請求項１に記載のスタンプタッチ認証方法。
【請求項６】
前記第３段階は、前記構成要素値を利用して確認された前記タッチ点の位置と前記タッチスタンプに前記タッチ部を配置するために設定される設計上のエリア条件を比較することと、前記タッチ点の前記位置が、前記設計上のエリア条件に従って前記タッチ部が配置されるエリア内の位置か否かを判定すること、
を含む請求項１に記載のスタンプタッチ認証方法。
【請求項７】
前記タッチスタンプは、単一の設計上のタッチ部を、設計上の固定位置で前記静電式タッチスクリーンにタッチされるＮ(Ｎ≧５)個のタッチ部内に配置すること、
ｎ(ｎ≧４)個のタッチ部を算出された位置に配置すること、
により設計製作される請求項１に記載のスタンプタッチ認証方法。
【請求項８】
前記第５段階は、
前記静電式タッチスクリーンを通じてタッチされる前記Ｎ個のタッチ点の相互位置関係を読み取ることにより  Ｎ個のタッチ点内の前記タッチスタンプの前記設計上の固定位置に配置される前記単一の設計上のタッチ部に対応する単一の設計上のタッチ点を認識することと、
前記認識された設計上のタッチ点を基準点として利用することにより算出された前記Ｎ個のタッチ点の幾何学的位置関係が、許容された誤差範囲内で前記タッチ認証条件に含まれる前記設計上の幾何学的位置関係とマッチングするか否かを解析すること、
を含む請求項７に記載のスタンプタッチ認証方法。
【請求項９】
前記単一の設計上のタッチ点が認識された際に、Ｎ−１個のタッチ点、または算出された前記幾何学的位置関係が、前記タッチ認証条件に含まれる前記設計上の幾何学的位置関係とマッチングするように、前記認識された設計上のタッチ点を基準点として利用することにより座標回転を行うこと、
をさらに含む請求項８に記載のスタンプタッチ認証方法。
【請求項１０】
前記タッチスタンプは、単一の設計上のタッチ部を、分割されたｎ(ｎ≧４)個の分割エリア内の設計上のエリアにおける固定位置に配置すること、
単一のタッチ部を、前記設計上のエリアにおける算出された位置に配置すること、
残りのタッチ部を、ｎ−１個の分割エリアにおける算出された位置にそれぞれ配置すること
により設計製作される請求項１に記載のスタンプタッチ認証方法。
【請求項１１】
前記タッチ認証条件は、前記タッチスタンプを利用するスタンプ利用先の位置情報とマッピングされて保存され、
前記タッチ認識情報を伝送した無線端末の位置情報を確認することと、
前記保存媒体に保存されたタッチ認証条件のうち、前記無線端末の前記位置情報とマッチングされる位置情報とマッピングされ保存されたタッチ認証条件を、前記タッチ点の算出された前記幾何学的位置関係と比較される設計上の幾何学的位置関係を含む比較対象タッチ認証条件で確認すること、
をさらに含む請求項１に記載のスタンプタッチ認証方法。
【請求項１２】
前記タッチ認証条件は、前記タッチスタンプに提供された音声出力機能を通じて出力される音声信号で符号化された固有コードまたはワンタイムコードを認証するための認証条件をさらに含み、
前記タッチ認識情報が、前記音声信号で符号化された固有コードまたはワンタイムコードを含む場合に、前記タッチ認識情報に含まれる前記固有コードまたは前記ワンタイムコードを確認することと、
前記タッチ認証条件の認証条件を利用して確認された前記固有コードまたは前記ワンタイムコードの有効性を認証することと、をさらに含み、
前記第６段階は、前記タッチ点の前記幾何学的位置関係の解析結果と前記固有コードまたは前記ワンタイムコードの認証結果を組み合わせて前記タッチ認証結果を生成することをさらに含む、
請求項１に記載のスタンプタッチ認証方法。
【請求項１３】
前記タッチ認証条件は、前記タッチスタンプに提供されたＮＦＣチップを通じて送信される無線周波数信号で符号化された固有コードまたはワンタイムコードを認証するための認証条件をさらに含み、
前記タッチ認識情報が、前記ＮＦＣチップから受信された固有コードまたはワンタイムコードを含む場合に、前記タッチ認識情報に含まれる前記固有コードまたは前記ワンタイムコードを確認することと、
前記タッチ認証条件の認証条件を利用して確認された前記固有コードまたは前記ワンタイムコードの有効性を認証することと、をさらに含み、
前記第６段階は、前記タッチ点の前記幾何学的位置関係の解析結果と前記固有コードまたは前記ワンタイムコードの認証結果を組み合わせて前記タッチ認証結果を生成することをさらに含む、
請求項１に記載のスタンプタッチ認証方法。
【発明の詳細な説明】
【技術分野】
【０００１】
本発明は、無線端末の静電式タッチスクリーンに伝導性材質からなったＮ(Ｎ≧５)個のタッチ部を具備したタッチスタンプをタッチし、前記Ｎ個のタッチ部を静電式タッチスクリーンにタッチしたＮ個のタッチ点に対する幾何学的位置関係が前記タッチスタンプの設計または製作過程で登録された前記Ｎ個のタッチ部に対する設計上の幾何学的位置関係とマッチングされるかを認証するスタンプタッチ認証方法及びシステムに関する。
【背景技術】
【０００２】
最近、スマートフォンの活性化に従ってユーザの無線端末に静電式タッチスクリーンが具備されている。静電式タッチスクリーンは、感圧式タッチスクリーンに比べて画質を落とさないながらも人体に蓄積された静電容量を利用して指タッチにより精緻なタッチ入力を提供することができる。
【０００３】
無線端末に具備された静電式タッチスクリーンは、ユーザの指によるタッチを入力手段で利用するように設計されており、それによって動作するように最適化されている。最近発売開始されたスマートフォンの場合、静電式タッチスクリーンは多重タッチ(Ｍｕｌｔｉ−Ｔｏｕｃｈ)を支援し、指を利用した多重タッチを入力手段で利用(例えば、ピンチズーム(Ｐｉｎｃｈ  ｔｏ  ｚｏｏｍ)など)するように設計されている。
【０００４】
一方、スタンプに具備された複数のタッチ部の幾何学的位置関係を認証手段または識別手段で利用するためには、それぞれ異なるスタンプに具備される複数のタッチ部の幾何学的位置関係がそれぞれ異なる固有性を有する必要があり、このようなスタンプのタッチ部を静電式タッチスクリーンのどの位置またはどの方向からタッチしてもいつも認識及び認証可能な便宜性を有する必要がある。しかし、従来の入力手段で最適化された多重タッチ方式だけでは認証手段または識別手段で利用されるスタンプの固有性と便宜性を提供することが困難である問題点を有している。
【発明の概要】
【発明が解決しようとする課題】
【０００５】
したがって、本発明は前記のような従来の諸問題点を解消するために提案されたものであって、本発明の目的は、伝導性材質からなったＮ(Ｎ≧５)個のタッチ部を具備したタッチスタンプの製作において、各タッチスタンプごとにＮ個のタッチ部に対する幾何学的位置関係を相違に設計して製作し、前記設計製作されたタッチスタンプのタッチ部を無線端末の静電式タッチスクリーンにタッチする場合に、前記タッチスタンプを利用したスタンプタッチを認識し、前記認識されたスタンプタッチに対応するＮ個のタッチ点が前記タッチスタンプに具備されたＮ個のタッチ部に対する設計上の幾何学的位置関係とマッチングされるかを認証することで、前記タッチスタンプを無線端末の静電式タッチスクリーンにタッチして指定されたサービスが提供されるようにするスタンプタッチ認証方法及びシステムを提供することにある。
【０００６】
本発明の他の目的は、前記タッチスタンプの平板部をｎ(ｎ≧４)個の分割領域で設計上分割した後、前記ｎ個の分割領域上の計算された位置にそれぞれ１個のタッチ部を固定し、前記ｎ個の分割領域のうちいずかの一つの指定領域上の指定された位置に１個のタッチ部を固定した後、前記分割領域情報を基盤として前記ｎ個の分割領域のうち２個のタッチ点がタッチされた指定領域上の指定された位置に具備された指定タッチ点を識別し、前記識別された指定タッチ点を基準として前記Ｎ個のタッチ点に対する幾何学的位置関係を前記タッチスタンプに具備されたＮ個のタッチ部に対する設計上の幾何学的位置関係とマッチングし比較することで、前記タッチスタンプを静電式タッチスクリーンのどの方向からタッチしても設計上の幾何学的位置関係とマッチングされるかを認証するようにするスタンプタッチ認証方法及びそのシステムを提供することにある。
【課題を解決するための手段】
【０００７】
前記目的を達成するための本発明によるスタンプタッチ認証方法は、多重タッチ(Ｍｕｌｔｉ−Ｔｏｕｃｈ)を支援する静電式タッチスクリーンを具備した無線端末で実行されるスタンプタッチ認証方法において、前記静電式タッチスクリーンに伝導性材質からなったＮ(Ｎ≧５)個のタッチ部を具備したタッチスタンプをタッチしたＮ個のタッチ点を認識する第１段階と、前記タッチスタンプを利用したタッチを認証するために設定されたタッチ認証条件を利用して前記Ｎ個のタッチ点の幾何学的位置関係を認証した結果を確認する第２段階と、前記Ｎ個のタッチ点が認証された場合に前記タッチスタンプと連携された指定されたサービスを開始する第３段階と、を含む。
【０００８】
本発明によれば、前記スタンプタッチ認証方法は、前記静電式タッチスクリーンを通じてタッチ点がタッチされない状態で二つ以上のタッチ点がタッチされた時点のタッチ点の個数がＮ個であるかを確認する段階と、前記確認されたタッチ点の個数がＮの場合に、前記Ｎ個のタッチ点をタッチスタンプにより同時にタッチされたタッチ点で判断する段階と、をさらに含むことができる。
【０００９】
本発明によれば、前記スタンプタッチ認証方法は、前記静電式タッチスクリーンを通じて二つ以上のタッチ点が認識された場合に、指定された時間間隔で繰り返し認識する段階と、前記二つ以上のタッチ点が最初タッチ認識時点から指定された一定時間内にタッチされたタッチ点の個数がＮ個であるかを確認する段階と、前記一定時間内に確認されたタッチ点の個数がＮ個である場合に、前記Ｎ個のタッチ点をタッチスタンプにより同時にタッチされたタッチ点で判断する段階と、をさらに含むことができる。
【００１０】
本発明によれば、前記スタンプタッチ認証方法は、前記静電式タッチスクリーンを通じてタッチ認識されたＮ個のタッチ点を指定された時間間隔で繰り返し認識する段階と、前記一定時間の間繰り返し認識されたタッチ点の個数がＮ個であるかを確認する段階と、前記繰り返し確認されたタッチ点の個数がＮ個である場合に、前記Ｎ個のタッチ点をタッチスタンプを押す行動習慣によってタッチされたタッチ点で判断する段階と、をさらに含むことができる。
【００１１】
本発明によれば、前記スタンプタッチ認証方法は、前記静電式タッチスクリーンを通じてタッチ認識されたＮ個のタッチ点を指定された時間間隔で繰り返し認識する段階と、前記繰り返し認識されたＮ個のタッチ点の位置を繰り返し確認する段階と、前記繰り返し確認されたＮ個のタッチ点の位置を各タッチ点別に比較してＮ個のタッチ点の位置が変更されたかを確認する段階と、前記Ｎ個のタッチ点の位置が変更されない場合に、前記Ｎ個のタッチ点をタッチスタンプを押す行動習慣によってタッチされたタッチ点で判断する段階と、をさらに含むことができる。
【００１２】
本発明によれば、前記スタンプタッチ認証方法は、前記静電式タッチスクリーンを通じてタッチ認識されたＮ個のタッチ点を指定された時間間隔で繰り返し認識する段階と、前記繰り返し認識されたＮ個のタッチ点の位置関係を繰り返し確認する段階と、前記繰り返し確認されたＮ個のタッチ点の位置関係を比較してＮ個のタッチ点の位置関係が変更されないで静的な状態を維持するかを確認する段階と、前記Ｎ個のタッチ点の位置関係が静的な状態を維持する場合に、前記Ｎ個のタッチ点をタッチスタンプに固定搭載されたＮ個のタッチ部をタッチしたタッチ点で判断する段階と、をさらに含むことができる。
【００１３】
本発明によれば、前記スタンプタッチ認証方法は、前記静電式タッチスクリーンを通じてタッチ認識されたＮ個のタッチ点を指定された時間間隔で繰り返し認識する段階と、前記繰り返し認識されたＮ個のタッチ点の位置を繰り返し確認する段階と、前記繰り返し確認されたＮ個のタッチ点の位置を比較してＮ個のタッチ点の位置関係が指定された規則によって変更される動的な状態であるかを確認する段階と、前記Ｎ個のタッチ点の位置関係が動的な状態の場合に、前記Ｎ個のタッチ点を指定された規則によって移動可能に設計製作されたＮ個のタッチ部を具備したタッチスタンプを利用してタッチしたタッチ点で判断する段階と、をさらに含むことができる。
【００１４】
本発明によれば、前記スタンプタッチ認証方法は、前記静電式タッチスクリーンを通じて少なくとも一つのタッチ点が認識された時点から前記静電式タッチスクリーンにタッチされたタッチ点を繰り返し認識する段階と、前記繰り返し認識される間のタッチ点の個数とタッチ点の位置を繰り返し確認する段階と、前記繰り返し確認されたタッチ点の個数変化とタッチ点の位置を判読してＮ個のタッチ点が指定された規則によって順次にタッチされるかを確認する段階と、前記Ｎ個のタッチ点が指定された規則によって順次にタッチされた場合に、前記Ｎ個のタッチ点を指定された規則によって順次にタッチされるように設計製作されたＮ個のタッチ部を具備したタッチスタンプを利用してタッチしたタッチ点で判断する段階と、をさらに含むことができる。
【００１５】
本発明によれば、前記スタンプタッチ認証方法は、前記静電式タッチスクリーンを通じて認識されたＮ個のタッチ点に対する構成要素値を判読する段階と、前記判読された構成要素値を含むタッチ認識情報を指定された経路を通じてネットワーク上の運営サーバに伝送する段階と、をさらに含み、前記第２段階は、前記指定された経路を通じて前記運営サーバからＮ個のタッチ点の幾何学的位置関係を認証したタッチ認証結果を受信することができる。
【００１６】
本発明によれば、前記スタンプタッチ認証方法は、前記タッチスタンプに具備されたＮ個のタッチ部が相異なるタッチ点で区別して認識されるために互いに離れていなければならない最小区別認識距離を設定保存する段階をさらに含み、前記タッチ認識情報に含まれた構成要素値を利用して前記静電式タッチスクリーンにタッチされたＮ個の各タッチ点の間の距離を計算し、前記計算されたＮ個の各タッチ点の間の距離が前記最小区別認識距離以上離れているかを認証する段階を含むことができる。
【００１７】
本発明によれば、前記スタンプタッチ認証方法は、前記タッチスタンプに具備されたＮ個のタッチ部に対する設計上の幾何学的位置関係を含むタッチ認証条件を保存する保存段階をさらに含み、前記静電式タッチスクリーンを通じて認識されたＮ個のタッチ点に対する構成要素値を判読する判読段階と、前記構成要素値を利用して前記静電式タッチスクリーンにタッチされたＮ個のタッチ点に対する幾何学的位置関係を算出する算出段階と、前記タッチ認証条件に含まれた設計上の幾何学的位置関係と前記算出された幾何学的位置関係をマッチングし比較して認証する認証段階と、をさらに含むことができる。
【００１８】
本発明によれば、前記設計上の幾何学的位置関係は、前記タッチスタンプを設計または製作する過程で前記タッチスタンプの平板部に固定されたＮ個のタッチ部に対する座標関係を含むことができる。一方、前記設計上の幾何学的位置関係は、前記タッチスタンプを設計または製作する過程で前記タッチスタンプの平板部に固定されたＮ個のタッチ部に対する距離関係と角度関係を含むことができる。
【００１９】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部との間の座標関係を含むことができる。
【００２０】
本発明によれば、前記タッチスタンプは、編板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部との間の距離関係と角度関係を含むことができる。
【００２１】
本発明によれば、前記タッチ認証条件は、前記タッチスタンプが提供されたスタンプ利用先の位置領域情報とマッピング保存されることを特徴とし、前記スタンプタッチ認証方法は、前記無線端末の位置測位モジュールを利用して前記無線端末の位置情報を確認する段階と、前記保存媒体に保存されたタッチ認証条件のうち前記無線端末の位置情報とマッチングされる位置領域情報とマッピング保存されたタッチ認証条件とを比較対象のタッチ認証条件で確認する段階と、をさらに含むことができる。
【００２２】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記スタンプタッチ認証方法は、前記判読された構成要素値を利用してＮ個の各タッチ点の間の相互位置関係を判読する段階と、前記タッチ点の間の相互位置関係が前記設計製作されたタッチスタンプのタッチ部を静電式タッチスクリーンにタッチして形成されることができる位置関係を含むかを認証する段階と、をさらに含むことができる。
【００２３】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記認証段階は、前記判読された構成要素値を前記ｎ個の分割領域に対する分割領域情報にマッチングさせて前記ｎ個の分割領域のうち２個のタッチ点が存在する指定領域上の指定された位置に対応するタッチ点を指定タッチ点で識別する段階を含むことができる。
【００２４】
本発明によれば、前記認証段階は、前記指定タッチ点を基準として前記ｎ個のタッチ点を座標回転して前記構成要素値を前記タッチ認証条件に含まれた設計上の幾何学的位置関係と比較可能にマッチングさせる段階をさらに含むことができる。
【００２５】
本発明によれば、前記認証段階は、前記指定タッチ点とｎ個のタッチ点の間の距離関係と角度関係を含む認証対象の幾何学的位置関係を算出する段階と、前記算出された認証対象の幾何学的位置関係と前記タッチ認証条件に含まれた設計上の幾何学的位置関係を比較して一致するかまたは許容された誤差範囲に近接するかを認証する段階と、をさらに含むことができる。
【００２６】
本発明によれば、前記タッチ認証条件は、前記タッチスタンプに具備されたサウンド出力機能を通じて出力されたサウンド信号に、符号化された固有コードまたはワンタイムコードを認証するための認証条件をさらに含み、前記スタンプタッチ認証方法は、前記タッチスタンプから出力されたサウンド信号に含まれた固有コードまたはワンタイムコードを認識する段階と、前記タッチ認証条件の認証条件を通じて前記認識された固有コードまたはワンタイムコードの有効性を認証する段階と、をさらに含み、前記第２段階は、前記Ｎ個のタッチ点を認証した結果と前記固有コードまたはワンタイムコードを認証した結果を組み合わせたタッチ認証結果を確認することができる。
【００２７】
本発明によれば、前記タッチ認証条件は、前記タッチスタンプに具備されたＮＦＣチップを通じて送り出された無線周波数信号に、符号化された固有コードまたはワンタイムコードを認証するための認証条件をさらに含み、前記スタンプタッチ認証方法は、前記タッチスタンプのＮＦＣチップを通じて送り出された無線周波数信号に符号化された固有コードまたはワンタイムコードを認識する段階と、前記タッチ認証条件の認証条件を通じて前記認識された固有コードまたはワンタイムコードの有効性を認証する段階と、をさらに含み、前記第２段階は、前記Ｎ個のタッチ点を認証した結果と前記固有コードまたはワンタイムコードを認証した結果を組み合わせたタッチ認証結果を確認することができる。
【００２８】
一方、本発明によるスタンプタッチ認証方法は、無線端末に具備された静電式タッチスクリーンにタッチされたタッチ点に対するタッチ認識情報を受信可能な運営サーバにより実行されるスタンプタッチ認証方法において、タッチスタンプに具備された伝導性材質からなったＮ(Ｎ≧５)個のタッチ部に対する設計上の幾何学的位置関係を含むタッチ認証条件を保存媒体に保存する第１段階と、前記タッチスタンプに具備されたＮ個のタッチ部を前記無線端末の静電式タッチスクリーンにタッチした構成要素値を含むタッチ認識情報を受信する第２段階と、前記タッチ認識情報に含まれた構成要素値を利用して前記無線端末の静電式タッチスクリーンにタッチされたＮ個のタッチ点に対する認証対象の幾何学的位置関係を算出する第３段階と、前記タッチ認証条件に含まれた設計上の幾何学的位置関係と前記算出された認証対象の幾何学的位置関係をマッチングし比較して認証する第４段階と、指定された経路を通じて前記Ｎ個のタッチ点を認証したタッチ認証結果を前記無線端末に伝送する第５段階と、を含む。
【００２９】
本発明によれば、前記構成要素値は、前記静電式タッチスクリーンに対応する座標系上の座標値を含むことができる。
【００３０】
本発明によれば、前記スタンプタッチ認証方法は、前記タッチスタンプに具備されたＮ個のタッチ部が相異なるタッチ点で区別して認識されるために互いに離れていなければならない最小区別認識距離を設定保存する段階をさらに含み、前記タッチ認識情報に含まれた構成要素値を利用して前記無線端末の静電式タッチスクリーンにタッチされたＮ個の各タッチ点の間の距離を計算し、前記計算されたＮ個の各タッチ点の間の距離が前記最小区別認識距離以上離れているかを認証する段階を含むことができる。
【００３１】
本発明によれば、前記設計上の幾何学的位置関係は、前記タッチスタンプを設計または製作する過程で前記タッチスタンプの平板部に固定されたＮ個のタッチ部に対する座標関係を含むことができる。一方、前記設計上の幾何学的位置関係は、前記タッチスタンプを設計または製作する過程で前記タッチスタンプの平板部に固定されたＮ個のタッチ部に対する距離関係と角度関係を含むことができる。
【００３２】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部の間の座標関係を含むことができる。
【００３３】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部の間の距離関係と角度関係を含むことができる。
【００３４】
本発明によれば、前記タッチ認証条件は、前記タッチスタンプが提供されたスタンプ利用先の位置領域情報とマッピング保存されることを特徴とし、前記スタンプタッチ認証方法は、前記タッチ認識情報を伝送した無線端末の位置情報を確認する段階と、前記保存媒体に保存されたタッチ認証条件のうち前記無線端末の位置情報とマッチングされる位置領域情報とマッピング保存されたタッチ認証条件を比較対象のタッチ認証条件で確認する段階と、をさらに含むことができる。
【００３５】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記スタンプタッチ認証方法は、前記タッチ認識情報に含まれた構成要素値を利用してＮ個の各タッチ点の間の相互位置関係を判読する段階と、前記タッチ点間の相互位置関係が前記設計製作されたタッチスタンプのタッチ部を静電式タッチスクリーンにタッチして形成されることができる位置関係を含むかを認証する段階と、をさらに含むことができる。
【００３６】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記第４段階は、前記タッチ認識情報に含まれた構成要素値を前記ｎ個の分割領域に対する分割領域情報にマッチングさせて前記ｎ個の分割領域のうち２個のタッチ点が存在する指定領域上の指定された位置に対応するタッチ点を指定タッチ点で識別する段階と、を含むことができる。
【００３７】
本発明によれば、前記第４段階は、前記指定タッチ点を基準として前記ｎ個のタッチ点を座標回転して前記構成要素値を前記タッチ認証条件に含まれた設計上の幾何学的位置関係と比較可能にマッチングさせる段階をさらに含むことができる。
【００３８】
本発明によれば、前記第４段階は、前記指定タッチ点とｎ個のタッチ点の間の距離関係と角度関係を含む認証対象の幾何学的位置関係を算出する段階と、前記算出された認証対象の幾何学的位置関係と前記タッチ認証条件に含まれた設計上の幾何学的位置関係を比較して一致するかまたは許容された誤差範囲に近接するかを認証する段階と、をさらに含むことができる。
【００３９】
本発明によれば、前記タッチ認証条件は、前記タッチスタンプに具備されたサウンド出力機能を通じて出力されたサウンド信号に符号化された固有コードまたはワンタイムコードを認証するための認証条件をさらに含み、前記タッチ認識情報に前記サウンド信号に符号化された固有コードまたはワンタイムコードが含まれた場合、前記スタンプタッチ認証方法は、前記タッチ認識情報に含まれた固有コードまたはワンタイムコードを確認する段階と、前記タッチ認証条件の認証条件を通じて前記確認された固有コードまたはワンタイムコードの有効性を認証する段階と、をさらに含み、前記第５段階は、前記Ｎ個のタッチ点を認証した結果と前記固有コードまたはワンタイムコードを認証した結果を組み合わせて前記タッチ認証結果を生成する段階をさらに含むことができる。
【００４０】
本発明によれば、前記タッチ認証条件は、前記タッチスタンプに具備されたＮＦＣチップを通じて送り出された無線周波数信号に符号化された固有コードまたはワンタイムコードを認証するための認証条件をさらに含み、前記タッチ認識情報に前記ＮＦＣチップから受信された固有コードまたはワンタイムコードが含まれた場合、前記スタンプタッチ認証方法は、前記タッチ認識情報に含まれた固有コードまたはワンタイムコードを確認する段階と、前記タッチ認証条件の認証条件を通じて前記確認された固有コードまたはワンタイムコードの有効性を認証する段階と、をさらに含み、前記第５段階は、前記Ｎ個のタッチ点を認証した結果と前記固有コードまたはワンタイムコードを認証した結果を組み合わせて前記タッチ認証結果を生成する段階をさらに含むことができる。
【００４１】
本発明によるスタンプタッチ認証システムは、無線端末に具備された静電式タッチスクリーンにタッチされたタッチ点に対するタッチ認識情報を受信可能な運営サーバで具現されるスタンプタッチ認証システムにおいて、タッチスタンプに具備された伝導性材質からなったＮ(Ｎ≧５)個のタッチ部に対する設計上の幾何学的位置関係を含むタッチ認証条件を保存媒体に保存する認証条件保存部と、前記タッチスタンプに具備されたＮ個のタッチ部を通じて前記無線端末の静電式タッチスクリーンにタッチした構成要素値を含むタッチ認識情報を受信する情報受信部と、前記タッチ認識情報に含まれた構成要素値を利用して前記無線端末の静電式タッチスクリーンにタッチされたＮ個のタッチ点に対する認証対象の幾何学的位置関係を算出する位置関係算出部と、前記タッチ認証条件に含まれた設計上の幾何学的位置関係と前記算出された認証対象の幾何学的位置関係をマッチングし比較して認証し、指定された経路を通じて前記Ｎ個のタッチ点を認証したタッチ認証結果を前記無線端末に伝送するタッチ認証処理部と、を具備する。
【００４２】
本発明によれば、前記構成要素値は、前記静電式タッチスクリーンに対応する座標系上の座標値を含むことができる。
【００４３】
本発明によれば、前記認証条件保存部は、前記タッチスタンプに具備されたＮ個のタッチ部が相異なるタッチ点で区別して認識されるために互いに離れていなければならない最小区別認識距離を設定保存することを特徴とし、前記スタンプタッチ認証システムは、前記タッチ認識情報に含まれた構成要素値を利用して前記無線端末の静電式タッチスクリーンにタッチされたＮ個の各タッチ点の間の距離を計算し、前記計算されたＮ個の各タッチ点の間の距離が前記最小区別認識距離以上離れているかを認証するタッチ点認証部をさらに具備することができる。
【００４４】
本発明によれば、前記設計上の幾何学的位置関係は、前記タッチスタンプを設計または製作する過程で前記タッチスタンプの平板部に固定されたＮ個のタッチ部に対する座標関係を含むことができる。一方、前記設計上の幾何学的位置関係は、前記タッチスタンプを設計または製作する過程で前記タッチスタンプの平板部に固定されたＮ個のタッチ部に対する距離関係と角度関係を含むことができる。
【００４５】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部の間の座標関係を含むことができる。
【００４６】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記設計上の幾何学的位置関係は、前記指定領域上の指定された位置に固定されたタッチ部とｎ個のタッチ部の間の距離関係と角度関係を含むことができる。
【００４７】
本発明によれば、前記タッチ認証条件は、前記タッチスタンプが提供されたスタンプ利用先の位置領域情報とマッピング保存されることを特徴とし、前記スタンプタッチ認証システムは、前記タッチ認識情報を伝送した無線端末の位置情報を確認する位置情報確認部をさらに具備し、前記タッチ認証処理部は、前記保存媒体に保存されたタッチ認証条件のうち前記無線端末の位置情報とマッチングされる位置領域情報とマッピング保存されたタッチ認証条件を比較対象のタッチ認証条件で確認することができる。
【００４８】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個 の分割領域のうち１個の指定領域上の指定された位置に１個のタッチ部を固定するように設計製作されることを特徴とし、前記スタンプタッチ認証システムは、前記タッチ認識情報に含まれた構成要素値を利用してＮ個の各タッチ点の間の相互位置関係を判読し、前記タッチ点の間の相互位置関係が前記設計製作されたタッチスタンプのタッチ部を静電式タッチスクリーンにタッチして形成されることができる位置関係を含むかを認証するタッチ点認証部をさらに具備することができる。
【００４９】
本発明によれば、前記タッチスタンプは、平板部の平板領域を設計上ｎ(ｎ≧４)個の分割領域に分割した後、各分割領域上の計算された位置にそれぞれ１個のタッチ部を固定し、前記ｎ個の分割領域のうち１個の指定領域上の指定された位置に１個のタッチ部を固定するように設計製作されることを特徴とし、前記タッチ認証処理部は、前記タッチ認識情報に含まれた構成要素値を前記ｎ個の分割領域に対する分割領域情報にマッチングさせて前記ｎ個の分割領域のうち２個のタッチ点が存在する指定領域上の指定された位置に対応するタッチ点を指定タッチ点で識別することができる。
【００５０】
本発明によれば、前記タッチ認証処理部は、前記指定タッチ点を基準として前記ｎ個のタッチ点を座標回転して前記構成要素値を前記タッチ認証条件に含まれた設計上の幾何学的位置関係と比較可能にマッチングさせることができる。
【００５１】
本発明によれば、前記タッチ認証処理部は、前記指定タッチ点とｎ個のタッチ点の間の距離関係と角度関係を含む認証対象の幾何学的位置関係を算出し、前記算出された認証対象の幾何学的位置関係と前記タッチ認証条件に含まれた設計上の幾何学的位置関係を比較して一致するかまたは許容された誤差範囲に近接するかを認証することができる。
【００５２】
本発明によれば、前記タッチ認証条件は、前記タッチスタンプに具備されたサウンド出力機能を通じて出力されたサウンド信号に符号化された固有コードまたはワンタイムコードを認証するための認証条件をさらに含み、前記タッチ認識情報に前記サウンド信号に符号化された固有コードまたはワンタイムコードが含まれた場合、前記スタンプタッチ認証システムは、前記タッチ認識情報に含まれた固有コードまたはワンタイムコードを確認するコード確認部と、前記タッチ認証条件の認証条件を通じて前記確認された固有コードまたはワンタイムコードの有効性を認証するコード認証部と、をさらに含み、前記タッチ認証処理部は、前記Ｎ個のタッチ点を認証した結果と前記固有コードまたはワンタイムコードを認証した結果を組み合わせて前記タッチ認証結果を生成する段階をさらに含むことができる。
【００５３】
本発明によれば、前記タッチ認証条件は、前記タッチスタンプに具備されたＮＦＣチップを通じて送り出された無線周波数信号に符号化された固有コードまたはワンタイムコードを認証するための認証条件をさらに含み、前記タッチ認識情報に前記ＮＦＣチップから受信された固有コードまたはワンタイムコードが含まれた場合、前記スタンプタッチ認証システムは、前記タッチ認識情報に含まれた固有コードまたはワンタイムコードを確認するコード確認部と、前記タッチ認証条件の認証条件を通じて前記確認された固有コードまたはワンタイムコードの有効性を認証するコード認証部と、をさらに含み、前記タッチ認証処理部は、前記Ｎ個のタッチ点を認証した結果と前記固有コードまたはワンタイムコードを認証した結果を組み合わせて前記タッチ認証結果を生成する段階をさらに含むことができる。
【発明の効果】
【００５４】
本発明によれば、ユーザの無線端末に具備された静電式タッチスクリーンにタッチスタンプをタッチする行為を通じて前記ユーザが指定された位置または場所で指定された行為をしたかあるいは指定された行為をする予定であることを認証し、これに対応する各種サービスを提供する利点がある。
【００５５】
また、本発明によれば、Ｎ個のタッチ部を具備したタッチスタンプを静電式タッチスクリーンのどの方向から自由にタッチしても前記Ｎ個のタッチ部に対応するＮ個のタッチ点に対する幾何学的位置関係を予め登録された設計上の幾何学的位置関係と比較可能に算出して認証することができる利点がある。
【図面の簡単な説明】
【００５６】
【図１】図１は、タッチスタンプを利用したタッチ認証を提供する全体システムの構成を示した概略図である。
【図２Ａ】図２Ａは、タッチスタンプの構造を示した図である。
【図２Ｂ】図２Ｂは、タッチスタンプの構造を示した図である。
【図３】図３Ａと図３Ｂは、タッチスタンプの平板部に固定されるタッチ部の側面構造を示した例示図である。
【図４Ａ】図４Ａは、タッチスタンプの平板部の平板領域を示した例示図である。
【図４Ｂ】図４Ｂは、タッチスタンプの平板部の平板領域を示した例示図である。
【図４Ｃ】図４Ｃは、タッチスタンプの平板部の平板領域を示した例示図である。
【図４Ｄ】図４Ｄは、タッチスタンプの平板部の平板領域を示した例示図である。
【図５】図５は、本発明の第１実施方法による無線端末の構成と無線端末に具備されたアプリケーションの機能構成を示した図である。
【図６】図６は、本発明の第１実施方法によるタッチ認証システムの構成を示した図である。
【図７】図７は、タッチ認証システムにおいてタッチスタンプのタッチ認証条件を登録する過程を示した図である。
【図８】図８は、タッチ認証システムにおいてタッチスタンプのタッチ認証条件とスタンプ利用先を連携登録する過程を示した図である。
【図９】図９は、無線端末のアプリケーションでタッチスタンプを利用したスタンプタッチを認識する過程を示した図である。
【図１０】図１０は、タッチスタンプに具備されたＮ個のタッチ部を静電式タッチスクリーンにタッチしたスタンプタッチを認証する過程を示した図である。
【図１１】図１１は、本発明の第２実施方法による無線端末の構成と無線端末に具備されたアプリケーションの機能構成を示した図である。
【発明を実施するための形態】
【００５７】
以下、添付図面を参照して本発明の好ましい実施例に対する動作原理を詳しく説明する。但し、下記の図面と説明は本発明の特徴を効果的に説明するための多様な方法のうち好ましい実施方法に関するもので、本発明は下記図面と説明により限定されるものではない。例えば、サーバ側に具備された構成部が無線端末側に具現されるか、反対に無線端末側に具備された構成部がサーバ側に具現される形態で実施可能である。
【００５８】
また、下記の本発明の説明において、関連された公知機能または構成に対する具体的な説明が本発明の要旨を不明確にすることができると判断される場合には、その詳細な説明を省略する。また、後述する用語は、本発明における機能を考慮して定義された用語として、これはユーザ、運用者の意図または慣例などによって変わることができる。したがって、本発明の全般的な内容に基づいて定義されなければならない。
【００５９】
結果的に、本発明の技術的思想は、特許請求の範囲により決定され、以下の実施例は、進歩的な本発明の技術的思想を本発明が属する技術分野において通常の知識を有した者に効率的に説明するための一つの手段である。
【００６０】
図１は、タッチスタンプ２００を利用したタッチ認証を提供する全体システムの構成を示した概路図である。
【００６１】
より詳細には、図１は、ゴム弾性の伝導性材質からなったＮ(Ｎ≧５)個のタッチ部３００を具備したタッチスタンプ２００をユーザの無線端末５００に具備された静電式タッチスクリーン５０５にタッチすれば、前記静電式タッチスクリーン５０５にタッチされたＮ個のタッチ点の幾何学的位置関係が前記タッチスタンプ２００に具備されたＮ個のタッチ部３００に対する設計上の幾何学的位置関係と許容された誤差範囲でマッチングされるかを認証するシステムの構成を概略的に示した図である。
【００６２】
本発明のシステムは、伝導性材質からなったＮ個のタッチ部３００を設計された幾何学的位置関係で配列して固定したタッチスタンプ２００と、前記タッチスタンプ２００に具備されたＮ個のタッチ部３００がタッチされる静電式タッチスクリーン５０５を具備した無線端末５００と、を含んでなる。前記無線端末５００は、サービスの提供を受けるユーザが有している。前記タッチスタンプ２００は、前記ユーザにサービスを提供するスタンプ利用先(例えば、スタンプタッチを利用したサービスを提供する加盟店またはスタンプ購買者など)に提供される。したがって、前記タッチスタンプ２００は、前記スタンプ利用先を識別または認証する手段で使用される。好ましくは、スタンプ利用先は、タッチスタンプ２００を利用したサービスの提供のために端末装置１１０を利用することができる。
【００６３】
本発明の第１実施方式によれば、無線端末５００は、静電式タッチスクリーン５０５を利用してＮ個のタッチ点を認識し、認識されたＮ個のタッチ点情報を指定された運営サーバ１００に伝送することができる。Ｎ個のタッチ点情報は、通信網を通じて無線端末５００から運営サーバ１００に伝送されるか、または指定された中継サーバ１０５を経由して運営サーバ１００に伝送されることができる。運営サーバ１００は、Ｎ個のタッチ点情報を受信し、予め登録された複数の各タッチスタンプ２００に具備されたタッチ部３００に対する設計上の幾何学的位置関係と前記受信されたＮ個のタッチ点により形成される幾何学的位置関係を比較することができる。Ｎ個のタッチ点により形成された幾何学的位置関係が、予め登録された複数の各タッチスタンプ２００に具備されたタッチ部３００に対する設計上の幾何学的位置関係のうちいずれか一つの幾何学的位置関係と許容された誤差範囲内で一致するかまたは近接する場合、運営サーバ１００は、静電式タッチスクリーン５０５にタッチされたＮ個のタッチ点を予め登録された複数のタッチスタンプ２００のうちいずれか一つの特定タッチスタンプ２００に具備されたＮ個のタッチ部３００をタッチしたタッチ点で認証することができる。
【００６４】
本発明の第２実施方式によれば、無線端末５００は、静電式タッチスクリーン５０５を利用してＮ個のタッチ点を認識し、認識されたＮ個のタッチ点により形成される幾何学的位置関係を確認し、確認された幾何学的位置関係を予め登録された特定タッチスタンプ２００のタッチ部３００に対する設計上の幾何学的位置関係と比較することができる。Ｎ個のタッチ点により形成された幾何学的位置関係が予め登録された特定タッチスタンプ２００のタッチ部３００に対する設計上の幾何学的位置関係と許容された誤差範囲内で一致するかまたは近接する場合、無線端末５００は、静電式タッチスクリーン５０５にタッチされたＮ個のタッチ点を前記登録された特定タッチスタンプ２００に具備されたＮ個のタッチ部３００をタッチしたタッチ点で認証することができる。
【００６５】
図２Ａと図２Ｂは、タッチスタンプ２００の構造を示した図である。
【００６６】
図２Ａは、タッチスタンプ２００の内部構造を説明するために前記タッチスタンプ２００を底に建てた状態で側面の切断面を例示した図であり、図２Ｂは、タッチスタンプ２００の底面を例示した図である。
【００６７】
本発明のタッチスタンプ２００は、人の手で握ることができるように形成された取っ手部２０５と、ゴム弾性の伝導性材質からなったＮ(Ｎ≧５)個のタッチ部３００と、平板領域４０５上の設計された位置にＮ個のタッチ部３００を固定する平板部４００と、前記取っ手部２０５と平板部４００を物理的に連結しながら前記平板部４００に固定されたＮ個のタッチ部３００と取っ手部２０５を電気的に連結するアダプタ部２１５と、を具備する。
【００６８】
前記取っ手部２０５は、人体の静電容量の伝達を受けることができる伝導性材質からなるかまたは伝導性材質が塗布またはメッキされる。前記取っ手部２０５の伝導性材質は、Ｎ個のタッチ部３００と電気的に連結される。前記取っ手部２０５は、前記タッチスタンプ２００を利用するスタンプ利用先の要求によって多様なデザインで製作されることができる。
【００６９】
前記タッチ部３００は、静電式タッチスクリーン５０５に前記タッチスタンプ２００をタッチする場合に一つのタッチ点を形成する構成物の総称として、ゴム弾性の伝導性材質からなる。例えば、前記タッチ部３００は、伝導性ゴム材質または伝導性プラスチック材質からなることができる。
【００７０】
前記タッチ部３００は、指定された図形(例えば、多角形または円形)形態の接触面３１５を有するように設計製作される。例えば、前記接触面３１５は、図２Ｂの例示のように、四角形態で設計製作されるか、または図４Ｃのように、円形の接触面３１５を有するように設計製作されることができる。
【００７１】
前記タッチ部３００の接触面３１５は、静電式タッチスクリーン５０５に有効にタッチされるように設計上計算された接触面積を有する。前記接触面積は、前記取っ手部２０５に伝達された人体の静電容量を基準としてタッチ対象に含まれた複数の静電式タッチスクリーン５０５で前記タッチ部３００を利用した静電式タッチを一つの有効なタッチ点で認識することができるタッチ感度に対応する面積と同一であるかそれより大きい面積で計算される。前記タッチスタンプ２００のタッチ部３００を相異なる種類の静電式タッチスクリーン５０５にタッチするように設計する場合に、各静電式タッチスクリーン５０５のタッチ感度が相違であれば、前記タッチ部３００の接触面積は、各静電式タッチスクリーン５０５で認識可能な各々のタッチ感度に対応する面積のうち大きい面積(すなわち、より小さいタッチ感度に対応する面積)より大きいか同一な面積で計算されることが好ましい。例えば、前記タッチ部３００の接触面積は、２５ｍｍ2より大きいか同一な面積、２８ｍｍ2より大きいか同一な面積、３６ｍｍ2より大きいか同一な面積、３８ｍｍ2より大きいか同一な面積などのように計算されることができる。前記タッチ部３００の接触面積を指定された装置の静電式タッチスクリーン５０５に対するタッチ感度に対応する面積を基準として計算する理由は、前記タッチ部３００が一つの有効なタッチ点で認識されるようにすると同時に、平板領域４０５の制限された面積内で各々のタッチ部３００がそれぞれ異なる位置に具備されるようにする最大の場合の数を算出するためである。
【００７２】
前記タッチ部３００の接触面３１５は、前記計算された接触面積に相応する図形形態で製作される。例えば、前記タッチ部３００の接触面３１５は、２５ｍｍ2の接触面積を形成する５ｍｍ×５ｍｍの正四角形の形態で製作されることができる。または、前記タッチ部３００の接触面３１５は、２８ｍｍ2より大きい接触面積を形成する直径６ｍｍの円形形態で製作されることができる。または、前記タッチ部３００の接触面３１５は、３６ｍｍ2の接触面積を形成する６ｍｍ×６ｍｍの正四角形の形態で製作されることができる。
または、前記タッチ部３００の接触面３１５は、３８ｍｍ2より大きい接触面積を形成する直径７ｍｍの円形形態で製作されることができる。
【００７３】
前記タッチ部３００の側面構造は、図３Ａのように、埋め込み板３０５の中央部分にタッチ具現部３１０が形成された「Ｔ」形態で製作されるか、図３Ｂのように、埋め込み板３０５の一側にかたよってタッチ具現部３１０が形成された「Γ」形態で製作されることができる。前記平板部４００は、タッチ部３００の埋め込み板３０５を支持して取っ手部２０５とタッチ部３００を電気的に連結する上板部２３０と、タッチ部３００の埋め込み板３０５が埋め込まれる中板部２３５と、図２Ｂのように、タッチ部３００のタッチ具現部３１０を外部に露出させる下板部２４０と、で構成される。
【００７４】
前記タッチ部３００は、各タッチ点の幾何学的タッチの位置関係に誤差が発生しないかあるいは計算された範囲内で最小誤差が発生するようにするために、柔軟な(例えば、軟質または半軟質または半硬質など)伝導性材質で製作され、図３Ａまたは図３Ｂのように、前記接触面３１５の中央部分が指定された図形形態を維持しながら前記図形形態の境目の上に一定曲率によって突出される構造でラウンド(ｒｏｕｎｄ)処理して製作される。このように製作されたタッチ部３００を静電式タッチスクリーン５０５にタッチすると、タッチ部３００の接触面３１５のうち一定曲率で突出された中央部分から先に静電式タッチスクリーン５０５にタッチされるようになり、この状態で、タッチ部３００に一定な押印力が加わると、前記中央部分が押印力により押され、結果的にタッチ部３００の接触面３１５の全体が計算された接触面積を形成しながら静電式タッチスクリーン５０５にタッチされる。このようなタッチ部３００により静電式タッチスクリーン５０５にタッチされたタッチ面の中点(＝タッチ点)は、前記タッチ部３００に形成された接触面３１５の中央部分に対応するかあるいは少なくとも計算された誤差範囲内で前記接触面３１５の中央部分に対応される。
【００７５】
前記タッチ部３００は、各タッチ点の幾何学的タッチ位置関係に誤差が発生しないかあるいは計算された範囲内の誤差を一層減少させるため、図３Ａまたは図３Ｂのように、柔軟な伝導性材質の内部に空の空間を形成して製作されることができる。前記タッチ部３００内部の空の空間は、一定曲率で突出された前記接触面３１５の中央部分が押印力により押されながらタッチ部３００の内部に収縮できる空間を提供する。前記タッチスタンプ２００は、人の手に握られた状態で静電式タッチスクリーン５０５にタッチされるので、前記人の手により前記タッチ部３００に加わる押印力は、静電式タッチスクリーン５０５の垂直方向成分のみが存在するものではなく、水平方向成分も存在するようになる。この時、前記タッチ部３００の内部の空の空間は、前記押印力に水平方向成分が存在しても前記タッチ部３００の接触面３１５が前記水平方向成分によりいずれか一側に歪まないで垂直方向成分によりタッチ部３００の内部に収縮するように誘導する。前記タッチ部３００の接触面３１５の押印力により水平方向成分のうちいずれか一側に歪むようになれば、結果的に静電式タッチスクリーン５０５にタッチされた面の中点もそれほど歪んだ方向に移動するようになって誤差が増加するようになる。前記タッチ部３００の内部の空の空間は、このような誤差の発生を防止するかまたは最小化する。
【００７６】
前記平板部４００は、Ｎ個のタッチ部３００を固定可能に設計された図形形態と平板面積を有するように製作される。同種のタッチスタンプ２００は、同一な平板部４００と同一な個数のタッチ部３００が具備されたスタンプを意味する。前記平板部４００の平板領域４０５は、ｎ(ｎ≧４)個の計算された位置４２０と１個の指定された位置４２５にＮ個のタッチ部３００を固定する。前記平板領域４０５上の計算された位置４２０に固定されたｎ個のタッチ部３００と指定された位置４２５に固定された１個のタッチ部３００を含むＮ個のタッチ部３００は、平板領域４０５上で予め設計された幾何学的位置関係を形成する。
【００７７】
本発明によれば、前記Ｎ個のタッチ部３００に対する設計上の幾何学的位置関係は、タッチスタンプ２００を利用したスタンプタッチを認証するタッチ認証条件で使用される。
したがって、各スタンプの平板部４００に固定されるＮ個のタッチ部３００は、各スタンプごとに異なる幾何学的位置関係を形成する固有性を有する必要がある。しかし、平板部４００の平板面積は有限であり、その上に固定されるＮ個のタッチ部３００も設計上計算された接触面積を有しているので、平板領域４０５にＮ個のタッチ部３００を相異なる幾何学的位置関係で固定できる場合の数は制限される。本発明によれば、前記平板部４００にＮ個のタッチ部３００を固定する位置を設計する過程で、有限な平板面積上にＮ個のタッチ部３００を相異なる幾何学的位置関係で固定できる最大の場合の数を導出するために最小区別認識距離が設定される。
【００７８】
前記最小区別認識距離は、二つ以上のタッチ部３００を静電式タッチスクリーン５０５にタッチする場合に、該当の静電式タッチスクリーン５０５で二つ以上のタッチ部３００によるタッチ点を相異なるタッチ点に区別して認識することができる最小の離隔距離を含む。例えば、静電式タッチスクリーン５０５において、多重タッチされた二つのタッチ点の間の距離が６ｍｍ以内の場合には、二つのタッチ点を一つのタッチ点で認識し、７ｍｍ以上離れた場合には、二つのタッチ点をそれぞれ異なるタッチ点に区別して認識する場合、前記最小区別認識距離は、７ｍｍを含むことが好ましい。一方、前記タッチスタンプ２００をタッチする対象に対応する静電式タッチスクリーン５０５が二つ以上であれば、前記最小区別認識距離は、二つ以上の静電式タッチスクリーン５０５において多重タッチされた二つのタッチ点を区別する認識できる最小の離隔距離のうちより大きい離隔距離に設定されることができる。
【００７９】
本発明の実施方法によれば、前記最小区別認識距離は、前記タッチ部３００の接触面積と相関関係を成す値である。すなわち、前記最小区別認識距離は、静電式タッチスクリーン５０５に設定された値であってもよいが、許容可能な誤差を基準として実験的に得られる値である。例えば、同一な静電式タッチスクリーン５０５であってもタッチ部３００の接触面積が２５ｍｍ2である面積(例えば、５ｍｍ×５ｍｍの正四角形形態で製作された接触面３１５)の場合の最小区別認識距離と、前記タッチ部３００の接触面積が３８ｍｍ2より大きい面積(例えば、直径７ｍｍの円形形態で製作された接触面３１５)の場合の最小区別認識距離とは異なることができる。したがって、前記最小区別認識距離は、前記タッチ部３００の接触面積を基準として複数の静電式タッチスクリーン５０５に対する実験的データを基盤に設定されることが好ましい。この時、前記最小区別認識距離は、前記タッチ部３００の接触面３１５の中央部分と中央部分間の距離に設定されるか、または前記タッチ部３００の接触面３１５を具現する図形の外郭線と外郭線間の距離に設定されることができる。
【００８０】
本発明の実施方法によれば、前記タッチスタンプ２００を前記幾何学的位置関係を算出することができる最大場合の以上の個数を製作しなければならない場合、前記幾何学的位置関係だけではタッチスタンプ２００を利用したスタンプタッチの固有性を維持することが困難である。これを解消するために、Ｎ個のタッチ部３００に対する幾何学的位置関係以外に、タッチスタンプ２００に具備されたチップ(Ｃｈｉｐ)とスピーカ(またはブザー)を通じて送り出されるサウンド信号またはタッチスタンプ２００に具備されたＮＦＣ(Ｎｅａｒ Ｆｉｅｌｄ Ｃｏｍｍｕｎｉｃａｔｉｏｎ)チップとアンテナを通じて送り出される無線周波数信号などが、前記タッチスタンプ２００の固有性を維持する付加手段で利用されることができる。前記サウンド信号は、前記タッチスタンプ２００がタッチされる静電式タッチスクリーン５０５を具備した無線端末５００のマイクを通じて認識されることができ、前記無線端末５００にＮＦＣモジュール５１１が具備されている場合は、前記タッチスタンプ２００に具備されたＮＦＣチップの無線周波数信号を認識することができる。この時、前記Ｎ個のタッチ部３００により形成される幾何学的位置関係とサウンド信号の組合せまたは前記幾何学的位置関係とＮＦＣチップの無線周波数信号の組合せにより前記タッチスタンプ２００の固有性が維持されることができる。前記サウンド信号は、前記チップに保存された固有コードまたは前記チップで指定されたアルゴリズムを通じて動的生成したワンタイムコードをＤＴＭＦ(Ｄｕａｌ Ｔｏｎｅ Ｍｕｌｔｉ−Ｆｒｅｑｕｅｎｃｙ)信号またはサウンドコード(Ｓｏｕｎｄ Ｃｏｄｅ)形態で含むことができる。前記ＮＦＣチップの無線周波数信号は、前記ＮＦＣチップに保存された固有コードまたは前記ＮＦＣチップで指定されたアルゴリズムを通じて動的生成したワンタイムコードをＮＦＣ規格によって含むことができる。
【００８１】
本発明によれば、同種の各タッチスタンプ２００に具備されたＮ個のタッチ部３００に対する相異なる幾何学的位置関係は、静電式タッチスクリーン５０５にタッチしても相異なる幾何学的位置関係で識別されることができる識別性を有する必要がある。静電式タッチスクリーン５０５に対するタッチは、点タッチではない面タッチであり、静電式タッチスクリーン５０５を具備した無線端末５００の運営体制は、タッチ面の中点をタッチ点で計算し、指定された距離以上タッチ面が移動すると、重点が移動したことで計算する。したがって、前記平板部４００にＮ個のタッチ部３００を固定する位置を設計する過程で、Ｎ個のタッチ部３００に対する相異なる幾何学的位置関係を静電式タッチスクリーン５０５上にタッチされた状態で相異なる幾何学的位置関係で識別するために最小識別距離が設定される。
【００８２】
前記最小識別距離は、相異なる幾何学的位置関係で設計されて平板部４００に固定されたＮ個のタッチ部３００を、静電式タッチスクリーン５０５上にタッチされた状態で、相異なる幾何学的位置関係で識別されるようにするために、相異なる平板部４００に具備されたＮ個のタッチ部３００が離れてなければならない距離を含む。例えば、静電式タッチスクリーン５０５が同一面積のタッチ面を３ｍｍ以上移動した時に中点を移動したことで感知する場合、前記最小識別距離は、３ｍｍより大きいか同一な値に設定されることができる。
【００８３】
本発明の実施方法によれば、前記最小識別距離は、静電式タッチスクリーン５０５に設定された値であってもよいが、許容可能な誤差を基準として実験的に得られる値である。
一方、前記タッチスタンプ２００をタッチする対象に対応する静電式タッチスクリーン５０５が二つ以上である場合、前記最小識別距離は、二つ以上の静電式タッチスクリーン５０５でタッチ面の中点移動を感知することができる最小の離隔距離のうちさらに大きい離隔距離に設定されることができる。
【００８４】
本発明によれば、前記タッチスタンプ２００に具備されたＮ個のタッチ部３００を静電式タッチスクリーン５０５上のどの方向からタッチしても判読できる判読性を有する必要がある。このような判読性は、静電式タッチスクリーン５０５上のどの方向にＮ個のタッチ部３００をタッチしても前記Ｎ個のタッチ部３００のうちいずか一つのタッチ部３００を基準点で決める規則によって確保されることができる。
【００８５】
本発明の実施方法によれば、前記Ｎ個のタッチ部３００に対する判読性を確保するために、前記平板部４００にＮ個のタッチ部３００を固定する位置を設計する過程で、前記平板部４００の平板領域４０５を設計上ｎ(ｎ≧４)個の分割領域４１０に分割する(但し、分割領域４１０は設計上存在することで平板領域４０５に表示しなくても関係ない)。前記ｎ個の分割領域４１０には、幾何学的位置関係を形成するために設計上計算された位置４２０にそれぞれ１個のタッチ部３００が固定され、前記ｎ個の分割領域４１０のうちいずれか一つの指定領域４１５には、設計上指定された位置４２５に基準点に該当する１個のタッチ部３００が固定される。すなわち、前記ｎ個の分割領域４１０のうち(ｎ−１)個の分割領域４１０には、それぞれ１個のタッチ部３００が固定され、１個の指定領域４１５には、２個のタッチ部３００が固定される。好ましくは、前記指定された位置４２５は、平板領域４０５の図形の外郭線に接する位置または前記図形の外郭線の角位置に指定されることができる。
【００８６】
前記のようにｎ個の分割領域４１０にＮ個のタッチ部３００を固定して静電式タッチスクリーン５０５にタッチする場合、タッチ認証システム６００は、前記Ｎ個のタッチ部３００が具備されたｎ個の分割領域４１０をＮ個のタッチ点にマッチングさせて前記ｎ個の分割領域４１０のうち２個のタッチ点が認識されたいずれか一つの指定領域４１５を確認し、前記確認された指定領域４１５上の指定された位置４２５に具備されたタッチ点を前記Ｎ個のタッチ点の基準点で決めることができる。そして、前記確認された基準点を基準として座標回転すれば、前記Ｎ個のタッチ部３００を静電式タッチスクリーン５０５上のどの方向からタッチしても予め登録されたタッチ認証条件の幾何学的位置関係と比較することができるようになる。
【００８７】
本発明の実施方法によれば、前記タッチスタンプ２００は、タッチ部３００と平板部４００を保護するハウジング部２２５をさらに具備することができる。前記ハウジング部２２５は、前記タッチスタンプ２００が、図２Ａのように立てられた状態で、前記アダプタ部２１５及び/または平板部４００を垂直方向にガイドするガイド部２２０と、前記平板部４００に固定されたタッチ部３００が底から一定高さ以上浮かんでいるように維持するスプリング部２１０と、を具備することができる。実施方法によって、前記ガイド部２２０とスプリング部２１０は、省略することができ、この場合、前記平板部４００に固定されたＮ個のタッチ部３００は、ハウジング部２２５の外部に露出することができる。
【００８８】
図３Ａと図３Ｂは、タッチスタンプ２００の平板部４００に固定されるタッチ部３００の側面構造を例示した図である。
【００８９】
図３Ａは、埋め込み板３０５の中央部分にタッチ具現部３１０が形成された「Ｔ」形態で製作されたタッチ部３００を例示した図であり、図３Ｂは、埋め込み板３０５の一側にかたよってタッチ具現部３１０が形成された「Γ」形態で製作されたタッチ部３００を例示した図である。タッチ部３００の埋め込み板３０５は、図２Ａに示した中板部２３５に埋め込まれて上板部２３０により支持され、タッチ部３００のタッチ具現部３１０は、図４Ｃのような下板部２４０の溝を通じて外部に露出される。埋め込み板３０５の厚さは、中板部２３５の厚さと同一な厚さで形成され、タッチ具現部３１０の高さは、下板部２４０の厚さより大きく形成されて、タッチ部３００の接触面３１５が下板部２４０の外部に露出するように製作される。
【００９０】
前記タッチ部３００の接触面３１５は、該当接触面３１５の中央部分が接触面３１５の図形形態を維持しながら該当接触面３１５の中央部分が図形の境目の上に一定曲率によって突出される構造でラウンド(ｒｏｕｎｄ)処理される。
【００９１】
前記タッチ部３００の内部には、空の空間が形成されることで、ラウンド処理された接触面が人の手により加わる押印力によって前記タッチ部３００の内部に収縮することができる空間を提供する。人の手を通じて静電式タッチスクリーン５０５にタッチしたタッチスタンプ２００に押印力が加わっても前記空の空間により接触面３１５はタッチ部３００の内部に収縮することで、タッチ点は移動しないで設計された位置に正確にタッチされるようになる。
【００９２】
図４Ａ〜図４Ｄは、タッチスタンプ２００の平板部４００の平板領域４０５を例示した図である。
【００９３】
図４Ａは、平板部４００の平板領域４０５を設計上分割する前の状態を例示した図であり、図４Ｂは、平板部４００の平板領域４０５を４個の分割領域４１０に分割した状態を例示した図であり、図４Ｃは、５個のタッチ部３００を４個の分割領域４１０に固定するために計算された位置４２０と指定された位置４２５を例示した図であり、図４Ｄは、分割領域４１０上の計算された位置４２０と指定された位置４２５に５個のタッチ部３００が固定された状態を例示した図である。
【００９４】
図４Ａのような物理的な平板部４００は、タッチ部３００を固定するための位置を設計する過程で、図４Ｂのように、４個の分割領域４１０に分割される。図４Ｂを参照すれば、各々の分割領域４１０と分割領域４１０の間には一定な余白が存在することができる。
好ましくは、前記余白は、最小区別認識距離ほどの間隔を含む。この場合、各分割領域４１０上のどの位置にタッチ部３００が具備されても各々の分割領域４１０に固定されたタッチ部３００は、いつも最小区別認識距離以上離れた状態を維持する。一方、図４Ｂのように、分割領域４１０の間に余白が固定されると、そのほどタッチ部３００が固定される位置を計算する平板面積が減るようになる。これを防止するために、図４Ｂに示した余白を省略し分割領域４１０を分割した後、タッチ部３００を固定する位置を計算する過程で、各タッチ部３００が最小区別認識距離以上離れるように計算することができる。
【００９５】
図４Ｃを参照すれば、各分割領域４１０には、それぞれ１個のタッチ部３００を固定する各々の位置が計算され、その中でいずれか一つの分割領域４１０を指定して１個のタッチ部３００をさらに固定する位置が指定される。以下、便宜上、前記ｎ個の分割領域４１０のうち指定領域４１５の指定された位置４２５に固定されるタッチ部３００を指定タッチ部３００と称する。
【００９６】
図４Ｄのように、各分割領域４１０上の計算された位置４２０にそれぞれ１個のタッチ部３００を固定し、指定領域４１５上の指定された位置４２５に１個の指定タッチ部３００を固定することで、Ｎ個のタッチ部３００を固定した平板部４００が製作される。
【００９７】
図５は、本発明の第１実施方法による無線端末５００の構成と無線端末５００に具備されたアプリケーションの機能構成を示した図である。
【００９８】
本発明の第１実施方法は、静電式タッチスクリーン５０５が具備されたユーザ所有の無線端末５００で、Ｎ個のタッチ部３００を具備したタッチスタンプ２００を利用したスタンプタッチを認識して指定された運営サーバ１００に伝送すると、運営サーバ１００で、予め登録されたタッチスタンプ２００のタッチ認証条件を通じて前記スタンプタッチを認証し、その結果を無線端末５００に伝送する実施方法である。本発明の第１実施方法は、Ｎ個のタッチ部３００を具備したタッチスタンプ２００を利用したスタンプタッチを認識して指定された運営サーバ１００に伝送し、前記運営サーバ１００から前記スタンプタッチを認証したタッチ認証結果を受信するプログラムコードを含むアプリケーションを無線端末５００に搭載することで具現することができる。
【００９９】
図５を参照すれば、前記無線端末５００は、制御部５０１と、メモリー部５１４と、キー入力部５０２と、画面出力部５０３と、タッチ入力部５０４と、サウンド出力部５０６と、サウンド入力部５０７と、近距離無線通信モジュール５０９と、無線網通信モジュール５１０と、ＮＦＣモジュール５１１と、位置測位モジュール５１２と、ＵＳＩＭリーダー部５１３と、を具備し、電源の供給のためのバッテリー５０８を具備する。前記ＵＳＩＭリーダー部５１３には、前記無線端末５００の無線通信のためのＵＳＩＭが脱着される。前記無線端末５００は、静電式タッチスクリーン５０５を具備したスマートフォン、携帯電話、タブレット型パソコンの中で少なくとも一つの携帯用装置を含むことができる。
【０１００】
前記制御部５０１は、前記無線端末５００の動作を制御する構成の総称である。前記制御部５０１は、ハードウェア的に少なくとも一つのプロセッサと実行メモリーを含んで構成され、バス(ＢＵＳ)を通じて無線端末５００の各構成部と連結される。前記制御部５０１は、ソフトウェア的に前記プロセッサを通じて前記無線端末５００のメモリー部５１４に具備されたプログラムコードを実行メモリーにローディングして演算し、その結果をバスを通じて各構成部に伝達して前記無線端末５００の動作を制御し、必要によって、各構成部から演算に必要なデータの伝達を受けることができる。
【０１０１】
前記メモリー部５１４は、前記無線端末５００に具備された非揮発性メモリーの総称として、前記制御部５０１を通じて実行される少なくとも一つのプログラムコードと、前記プログラムコードが利用する少なくとも一つのデータセットと、を保存して維持する。前記メモリー部５１４は、プログラムコード形態で具現されたアプリケーションを保存する。前記アプリケーションは、駆動または活性化されることによって前記制御部５０１にローディングされ演算される。
【０１０２】
前記キー入力部５０２は、前記無線端末５００に具備されたキーボタン、キーパッド、キーボードのうち一つ以上の構成部を含んでなる。前記キー入力部５０２は、前記アプリケーションを駆動または活性化させるキーイベントを発生させることができる。または前記キー入力部５０２は、スタンプタッチが可能に静電式タッチスクリーン５０５を活性化させるキーイベントを発生させることができる。
【０１０３】
前記画面出力部５０３は、前記無線端末５００に具備されたディスプレイ(例えば、ＬＣＤ(Ｌｉｑｕｉｄ Ｃｒｙｓｔａｌ Ｄｉｓｐｌａｙ))と、前記無線端末５００の内部で前記ディスプレイを駆動する駆動モジュールと、を含んでなる。前記画面出力部５０３は、前記アプリケーションの実行画面またはタッチ認証結果を出力する。
【０１０４】
前記タッチ入力部５０４は、前記画面出力部５０３と座標平面を共有する透明材質の静電式タッチパネルと、前記無線端末５００の内部で前記静電式タッチパネルを駆動する駆動モジュールと、を含んでなる。静電式タッチスクリーン５０５は、前記透明材質の静電式タッチパネルと前記画面出力部５０３のディスプレイを組み合わせて具現される。
【０１０５】
前記サウンド出力部５０６は、前記無線端末５００に具備されたスピーカーと、前記無線端末５００の内部で前記スピーカーを駆動する駆動モジュールと、を含んでなり、前記サウンド入力部５０７は、前記無線端末５００に具備されたマイクと、前記無線端末５００の内部で前記マイクを駆動する駆動モジュールと、を含んでなる。前記タッチスタンプ２００にサウンド信号を出力する機能が具備された場合、前記サウンド入力部５０７は、前記サウンド信号の入力を受けて、前記サウンド信号に符号化されたデータを前記アプリケーションに伝達する。
【０１０６】
前記無線網通信モジュール５１０と近距離無線通信モジュール５０９は、前記無線端末５００に具備される通信資源として、前記無線網通信モジュール５１０は、基地局を通じて無線通信網に接続し、前記近距離無線通信モジュール５０９は、近距離に位置した近距離通信装置または無線ＡＰ(Ａｃｃｅｓｓ Ｐｏｉｎｔ)を通じて通信網に接続する。
【０１０７】
前記ＮＦＣモジュール５１１は、ＩＳＯ １８０００シリーズ規格の無線通信規格のうち１３.５６Ｍｚ周波数帯域を使用するＮＦＣ規格によって１０ｃｍ内外の近距離無線周波数信号を送受信する。前記タッチスタンプ２００にＮＦＣチップが具備された場合、前記ＮＦＣモジュール５１１は、前記タッチスタンプ２００のＮＦＣチップを通じて送り出される無線周波数信号を受信し、前記ＮＦＣ基盤の無線周波数信号に符号化されたデータを前記アプリケーションに伝達することができる。
【０１０８】
前記位置測位モジュール５１２は、前記無線端末５００の移動位置を測位するＧＰＳモジュールを含んでなる。本発明の第１実施方法によれば、前記位置測位モジュール５１２は、前記静電式タッチスクリーン５０５にＮ個のタッチ部３００を具備したタッチスタンプ２００がタッチされる時点で前記無線端末５００の位置を測位した位置情報を前記アプリケーションに伝達することができる。
【０１０９】
本発明によれば、指定されたプログラム提供サーバ(例えば、アップル社のアップストアなど)を通じて前記アプリケーションが前記無線端末５００にダウンロードされて無線端末５００内に設置されることができる(但し、無線端末５００の製造社で前記アプリケーションを基本搭載した場合には省略)。前記アプリケーションは、ユーザにより手動で駆動または活性化されるか、またはプッシュ通知を受信することにより駆動または活性化されることができる。以下、便宜上、前記アプリケーション上にプログラムコード形態で具現されて前記制御部５０１にローディングされ演算されることで機能化される前記アプリケーションの機能構成部を前記制御部５０１内に図示して本発明の特徴を説明する。
【０１１０】
図５を参照すれば、前記アプリケーションは、ゴム弾性の伝導性材質からなったＮ(Ｎ≧５)個のタッチ部３００を具備したタッチスタンプ２００を利用して静電式タッチスクリーン５０５にタッチされたＮ個のタッチ点を認識するスタンプタッチ認識部を機能的に具備する。
【０１１１】
前記スタンプタッチ認識部は、運営体制を通じて発生したタッチイベントを１回以上判読してタッチスタンプ２００に具備されたＮ個のタッチ部３００を通じて静電式タッチスクリーン５０５にタッチしたＮ個のタッチ点を認識する。通常、運営体制を通じて発生されたタッチイベントは、人の指による多重タッチとタッチスタンプ２００によるタッチスタンプ２００のタッチを区別しない。一方、本発明のタッチスタンプ２００は、予め設計された図案によってＮ個のタッチ部３００を具備するため、予め設計された規則によるタッチ特性を有するようになり、これを基盤として人の指による多重タッチと区別してタッチスタンプ２００によるタッチスタンプ２００のタッチを認識することができる。
【０１１２】
前記スタンプタッチ認識部は、設計された規則によるタッチスタンプ２００のタッチを明確に判断するために、同時タッチ条件、固定タッチ条件、静的タッチ条件、動的タッチ条件の中で少なくとも一つの条件を選択的に追加適用するか、または二つ以上の条件を組み合わせて追加適用することができる。
【０１１３】
前記同時タッチ条件は、タッチスタンプ２００に具備されたＮ個のタッチ部３００が静電式タッチスクリーン５０５に同時にタッチされるかを判断する条件である。前記同時タッチ条件は、タッチスタンプ２００の平板領域４０５に具備されるＮ個のタッチ部３００を同じ高さ(または許容された範囲で類似な高さ)で設計製作し、このように製作されたタッチスタンプ２００のタッチ部３００を平板形態の静電式タッチスクリーン５０５にタッチする場合に適用することができる。
【０１１４】
前記同時タッチ条件を適用してＮ個のタッチ点を認識する場合、前記スタンプタッチ認識部は、前記タッチイベントを判読して、前記静電式タッチスクリーン５０５を通じてタッチ点がタッチされない状態で二つ以上のタッチ点がタッチされた時点のタッチ点の個数がＮ個であるかを確認する。前記確認されたタッチ点の個数がＮ個である場合、前記スタンプタッチ認識部は、前記Ｎ個のタッチ点を前記同時タッチ条件を満足するように設計製作されたタッチスタンプ２００を利用してタッチされたタッチ点で判断することができる。
【０１１５】
または、前記同時タッチ条件を適用してＮ個のタッチ点を認識する場合、前記スタンプタッチ認識部は、前記タッチイベントを判読して前記静電式タッチスクリーン５０５を通じて二つ以上のタッチ点が認識されるかを確認する。前記静電式タッチスクリーン５０５を通じて二つ以上のタッチ点が認識されると、前記スタンプタッチ認識部は、前記タッチイベントを根拠として前記静電式タッチスクリーン５０５にタッチされた二つ以上のタッチ点を指定された時間間隔で繰り返し認識する。前記スタンプタッチ認識部は、前記二つ以上のタッチ点が最初タッチ認識時点から指定された一定時間内にタッチされたタッチ点の個数がＮ個であるかを確認する。前記一定時間内に確認されたタッチ点の個数がＮ個であれば、前記スタンプタッチ認識部は、前記Ｎ個のタッチ点を前記同時タッチ条件を満足するように設計製作されたタッチスタンプ２００を利用してタッチされたタッチ点で判断することができる。
【０１１６】
前記固定タッチ条件は、タッチスタンプ２００を押す人の行動習慣を基盤として静電式タッチスクリーン５０５にタッチスタンプ２００をタッチするかを判断する条件である。
通常、スタンプに印肉をつけて紙に取る場合、このような行動を経験した人はスタンプに付けられた印肉が紙に充分に印字されるまでスタンプを紙に接触した状態を一定時間の間維持する行動習慣を有するようになる。このような行動習慣は、印肉なしにタッチスタンプ２００を静電式タッチスクリーン５０５にタッチする場合にも慣性的に発現されることができる。
【０１１７】
前記固定タッチ条件を適用してＮ個のタッチ点を認識する場合、前記スタンプタッチ認識部は、前記タッチイベントを判読して前記静電式タッチスクリーン５０５を通じてＮ個のタッチ点が認識されるかを確認する。前記静電式タッチスクリーン５０５を通じてＮ個のタッチ点が認識されると、前記スタンプタッチ認識部は、前記タッチイベントを根拠として前記静電式タッチスクリーン５０５にタッチされたＮ個のタッチ点を指定された時間間隔で繰り返し認識する。前記スタンプタッチ認識部は、一定時間の間繰り返し認識されたタッチ点の個数がＮ個であるかを確認する。一定時間の間繰り返し確認されたタッチ点の個数がＮ個である場合、前記スタンプタッチ認識部は、前記Ｎ個のタッチ点をタッチスタンプ２００を押す行動習慣によってタッチされたタッチ点で判断することができる。
【０１１８】
または、前記固定タッチ条件を適用してＮ個のタッチ点を認識する場合、前記スタンプタッチ認識部は、前記タッチイベントを判読して前記静電式タッチスクリーン５０５を通じてＮ個のタッチ点が認識されるかを確認する。前記静電式タッチスクリーン５０５を通じてＮ個のタッチ点が認識されると、前記スタンプタッチ認識部は、前記タッチイベントを根拠で前記静電式タッチスクリーン５０５にタッチされたＮ個のタッチ点を指定された時間間隔で繰り返し認識する。前記スタンプタッチ認識部は、前記繰り返し認識されたＮ個のタッチ点の位置を繰り返し確認し、前記繰り返し確認されたＮ個のタッチ点の位置を各タッチ点別に比較してＮ個のタッチ点の位置が変更されたかを確認する。前記Ｎ個のタッチ点の位置が変更されなかった場合、前記スタンプタッチ認識部は、前記Ｎ個のタッチ点をタッチスタンプ２００を押す行動習慣によってタッチされたタッチ点で判断することができる。
【０１１９】
前記静的タッチ条件は、タッチスタンプ２００に具備されたＮ個のタッチ部３００が静電式タッチスクリーン５０５にタッチされた状態で動かないで静的な状態を維持するかを判断する条件である。前記静的タッチ条件は、タッチスタンプ２００に具備されるＮ個のタッチ部３００を動かないように設計製作した場合に適用することができる。
【０１２０】
前記静的タッチ条件を適用してＮ個のタッチ点を認識する場合、前記スタンプタッチ認識部は、前記タッチイベントを判読して前記静電式タッチスクリーン５０５を通じてＮ個のタッチ点が認識されるかを確認する。前記静電式タッチスクリーン５０５を通じてＮ個のタッチ点が認識されると、前記スタンプタッチ認識部は、前記タッチイベントを根拠で前記静電式タッチスクリーン５０５にタッチされたＮ個のタッチ点を指定された時間間隔で繰り返し認識する。前記スタンプタッチ認識部は、前記繰り返し認識されたＮ個のタッチ点の位置関係を繰り返し確認し、前記繰り返し確認されたＮ個のタッチ点の位置関係を比較してＮ個のタッチ点の位置関係が変更されないで静的な状態を維持するかを確認する。前記Ｎ個のタッチ点の位置関係が静的な状態を維持する場合、前記スタンプタッチ認識部は、前記Ｎ個のタッチ点をタッチスタンプ２００に固定搭載されたＮ個のタッチ部３００をタッチしたタッチ点で判断することができる。
【０１２１】
前記動的タッチ条件は、タッチスタンプ２００に具備されたＮ個のタッチ部３００が静電式タッチスクリーン５０５に指定された規則によって動くかまたはＮ個のタッチ部３００が静電式タッチスクリーン５０５に指定された規則によって順次にタッチされるかを判断する条件である。前記動的タッチ条件は、タッチスタンプ２００の平板領域４０５に具備されるＮ個のタッチ部３００をタッチスタンプ２００を押す力により動くように設計製作するか、またはタッチスタンプ２００の平板領域４０５に具備されるＮ個のタッチ部３００の中で少なくとも一つのタッチ部３００の高さを異にしてタッチスタンプ２００を押す力によりＮ個のタッチ部３００が静電式タッチスクリーン５０５に順次にタッチされるように設計製作された場合に適用することができる。
【０１２２】
前記固定タッチ条件を適用してＮ個のタッチ点を認識する場合、前記スタンプタッチ認識部は、前記タッチイベントを判読して前記静電式タッチスクリーン５０５を通じてＮ個のタッチ点が認識されるかを確認する。前記静電式タッチスクリーン５０５を通じてＮ個のタッチ点が認識されると、前記スタンプタッチ認識部は、前記タッチイベントを根拠として前記静電式タッチスクリーン５０５にタッチされたＮ個のタッチ点を指定された時間間隔で繰り返し認識する。前記スタンプタッチ認識部は、前記繰り返し認識されたＮ個のタッチ点の位置を繰り返し確認し、前記繰り返し確認されたＮ個のタッチ点の位置を比較してＮ個のタッチ点の位置関係が指定された規則によって変更される動的な状態であるかを確認する。確認結果、前記Ｎ個のタッチ点の位置関係が指定された規則によって変更される動的な状態である場合、前記スタンプタッチ認識部は、前記Ｎ個のタッチ点を指定された規則によって動くように設計製作されたＮ個のタッチ部３００を具備したタッチスタンプ２００を利用してタッチしたタッチ点で判断することができる。
【０１２３】
または、前記固定タッチ条件を適用してＮ個のタッチ点を認識する場合、前記スタンプタッチ認識部は、前記タッチイベントを判読して前記静電式タッチスクリーン５０５を通じて少なくとも一つのタッチ点が認識された時点から前記静電式タッチスクリーン５０５にタッチされたタッチ点を指定された時間間隔で繰り返し認識し、前記タッチ点が繰り返し認識される間のタッチ点の個数とタッチ点の位置を反復的に確認する。前記スタンプタッチ認識部は、前記タッチ点が前記繰り返し認識される間のタッチ点の個数変化を確認し、タッチ点の個数変化によるタッチ点の位置を繰り返し確認する。人がタッチスタンプ２００を押す力によりタッチ点の個数が変化されるので、タッチ点の個数は、Ｎまで増加するが中間に減ってはいけない。また、タッチ点の個数が増加しながら追加で確認されたタッチ点の位置は変更されないで固定される。前記スタンプタッチ認識部は、前記繰り返し確認されたタッチ点の個数変化とタッチ点の位置が前記のような特性を有するかを確認することで、Ｎ個のタッチ点が指定された規則によって順次にタッチされるかを確認する。
確認結果、前記Ｎ個のタッチ点が指定された規則によって順次にタッチされた場合、前記スタンプタッチ認識部は、前記Ｎ個のタッチ点を指定された規則によって順次にタッチされるように設計製作されたＮ個のタッチ部３００を具備したタッチスタンプ２００を利用してタッチしたタッチ点で判断することができる。
【０１２４】
図５を参照すれば、前記アプリケーションは、Ｎ個のタッチ部３００を具備したタッチスタンプ２００を利用してタッチされたＮ個のタッチ点に対する構成要素値を判読するスタンプタッチ判読部を機能的に具備する。
【０１２５】
タッチスタンプ２００を利用して静電式タッチスクリーン５０５にタッチされたＮ個のタッチ点が認識されると、前記スタンプタッチ判読部は、前記Ｎ個のタッチ点により形成される幾何学的位置関係を確認するためのＮ個のタッチ点に対する構成要素値を抽出する。前記Ｎ個のタッチ点に対する構成要素値は、指定された座標系上の座標値、スカラー値、ベクター値の中で少なくとも一つまたは二つ以上の組合せからなることができる。前記構成要素値を抽出するための座標系は、前記静電式タッチスクリーン５０５に適用された直交座標系を含むことができる。一方、前記指定座標系は、前記静電式タッチスクリーン５０５に適用された座標系の外に前記Ｎ個のタッチ点に対する位置関係を解釈するために定義された他の座標系を含むことが可能である。例えば、前記構成要素値は、Ａ(５１、ｙ１)、Ｂ(５２、ｙ２)、Ｃ(５３、ｙ３)、Ｄ(５４、ｙ４)、Ｅ(５５、ｙ５)などのような指定された座標系上の座標値を含むことができる。または、前記構成要素値は、前記座標系上の座標値を基準として算出された線分ＡＢ、線分ＡＣ、線分ＡＤ、線分ＡＥなどのような線分値と、∠ＢＡＣ、∠ＢＡＤ、∠ＢＡＥ、∠ＣＡＤ、∠ＣＡＥ、∠ＤＡＥなどのような角度値の中で少なくとも一つを含むスカラー値を含むことができる。または、前記構成要素値は、前記座標系上の基準点または基準線を基準として算出されたベクター値を含むことができる。前記ベクター値を算出する基準点は、座標系上の原点やまたは前記Ｎ個のタッチ点の中でいずれか一つであることができる。
【０１２６】
図５を参照すれば、前記アプリケーションは、前記無線端末５００の位置情報を確認する位置確認部と、前記静電式タッチスクリーン５０５にタッチされたＮ個のタッチ点に対する構成要素値を指定された経路を通じて指定された運営サーバ１００まで伝達されるように伝送する情報伝送部と、前記運営サーバ１００から伝送されたタッチ認証結果を指定された経路を通じて受信する認証結果受信部と、を機能的に具備する。
【０１２７】
前記スタンプタッチ判読部を通じてＮ個のタッチ点に対する構成要素値が判読されると、前記情報伝送部は、前記判読された構成要素値を前記運営サーバ１００まで伝達するようにするためのタッチ認識情報を構成する。本発明の実施方法によれば、前記情報伝送部は、前記メモリー部５１４から前記無線端末５００を固有に識別する固有情報を確認し、前記確認された固有情報と前記判読された構成要素値を含むタッチ認識情報を構成することができる。
【０１２８】
前記アプリケーションに位置確認機能が含まれた場合、前記位置確認部は、前記静電式タッチスクリーン５０５にＮ個のタッチ点がタッチされる前、中、後のいずれか時点に前記位置測位モジュール５１２を通じて測位された無線端末５００の位置情報を確認する。
この場合、前記情報伝送部は、前記タッチ認識情報に前記確認された位置情報を含ませることができる。
【０１２９】
図５を参照すれば、前記アプリケーションは、前記タッチスタンプ２００にサウンド信号を出力する機能が具備された場合、前記サウンド信号に符号化された固有コードまたはワンタイムコードを認識するサウンド認識部を機能的にさらに具備することができる。
【０１３０】
前記タッチスタンプ２００は、固有コードまたはワンタイムコードが符号化されたサウンド信号を出力するチップとスピーカーを具備することができる。前記サウンド入力部５０７は、前記タッチスタンプ２００に具備されたＮ個のタッチ部３００が静電式タッチスクリーン５０５にタッチされる時点で、前記タッチスタンプ２００のスピーカーを通じて出力されたサウンド信号の入力を受ける。前記サウンド認識部は、前記サウンド入力部５０７を通じて入力されたサウンド信号を判読して前記サウンド信号に符号化された固有コードまたはワンタイムコードを抽出する。この場合、前記情報伝送部は、前記タッチ認識情報に前記確認された固有コードまたはワンタイムコードを含ませることができる。
【０１３１】
図５を参照すれば、前記アプリケーションは、前記タッチスタンプ２００にＮＦＣチップが具備された場合、前記ＮＦＣチップを通じて送り出される無線周波数信号に符号化された固有コードまたはワンタイムコードを認識するサウンド認識部を機能的にさらに具備することができる。
【０１３２】
前記タッチスタンプ２００は、固有コードまたはワンタイムコードが符号化されたＮＦＣ基盤無線周波数信号を送り出すＮＦＣチップとアンテナを具備することができる。前記ＮＦＣモジュール５１１は、前記タッチスタンプ２００が指定された範囲内に近接するかまたは前記タッチスタンプ２００に具備されたＮ個のタッチ部３００が静電式タッチスクリーン５０５にタッチされる時点で、前記タッチスタンプ２００のＮＦＣチップから送り出されたＮＦＣ基盤無線周波数信号を受信する。前記ＮＦＣ認識部は、前記ＮＦＣモジュール５１１を通じて受信されたＮＦＣ基盤無線周波数信号を判読して前記無線周波数信号に符号化された固有コードまたはワンタイムコードを抽出する。この場合、前記情報伝送部は、前記タッチ認識情報に前記確認された固有コードまたはワンタイムコードを含ませることができる。
【０１３３】
前記情報伝送部は、前記通信資源を利用して前記構成されたタッチ認識情報を指定された中継サーバ１０５に伝送し、前記中継サーバ１０５は、前記運営サーバ１００に前記タッチ認識情報を中継伝送する。または、前記情報伝送部は、前記通信資源を利用して前記構成されたタッチ認識情報を指定された運営サーバ１００に直接伝送することができる。
【０１３４】
前記運営サーバ１００は、前記タッチ認識情報を認証し、タッチ認証結果を生成して伝送する。前記認証結果受信部は、前記通信資源を通じて前記タッチ認証結果を受信する。
一方、前記タッチ認証結果は、前記タッチスタンプ２００を静電式タッチスクリーン５０５にタッチして提供するためのサービス情報を含むことができる。前記タッチ認証結果にサービス情報が含まれるか、または前記タッチ認証結果と連携されたサービス情報を受信する場合、前記アプリケーションは、前記サービス情報を利用して指定されたサービス(例えば、価値積立サービス、価値使用サービスなど)を提供する手続きを実行するサービス手続き実行部を機能的に具備する。
【０１３５】
図６は、本発明の第１実施方法によるタッチ認証システム６００の構成を示した図である。
【０１３６】
本発明の第１実施方法は、運営サーバ１００から無線端末５００の静電式タッチスクリーン５０５にタッチされたＮ個のタッチ点を認証する。図６は、運営サーバ１００内にソフトウェア的に具現されるタッチ認証システム６００の機能的構成を示した図である。
【０１３７】
図６を参照すれば、前記タッチ認証システム６００は、タッチスタンプ２００に具備されたＮ個のタッチ部３００に対する設計上の幾何学的位置関係を含むタッチ認証条件を保存する認証条件保存部６０５を具備する。
【０１３８】
前記認証条件保存部６０５は、前記タッチスタンプ２００の平板部４００に具備された１個の指定タッチ部３００の中点に対応する指定タッチ点と、前記タッチスタンプ２００の平板部４００に具備されたｎ個のタッチ部３００の中点に対応するｎ個のタッチ点間の距離関係及び角度関係に対応する設計上の幾何学的位置関係を確認し、前記指定タッチ点とｎ個のタッチ点に対する設計上の幾何学的位置関係と前記ｎ個の分割領域４１０に対する分割領域情報を含むタッチ認証条件を保存する。前記タッチ認証条件は、前記タッチスタンプ２００に対する最小区別認識距離及び/または最小識別距離に対する認証条件を含む。前記タッチスタンプ２００にサウンド信号を出力する機能またはＮＦＣチップが具備された場合、前記タッチ認証条件は、前記サウンド信号またはＮＦＣ基盤無線周波数信号に符号化された固有コードまたはワンタイムコードを認証するための認証条件を含むことができる。
【０１３９】
本発明の実施方法によれば、前記設計上の幾何学的位置関係は、予め設定された指定座標系上の座標値の形態で前記Ｎ個のタッチ部３００を具備した平板部４００を設計または製作する過程で、決定された指定タッチ点の座標値とｎ個のタッチ点に対する相対的座標値を含む座標関係を含むか、及び/または指定座標系上の座標値を基準として指定タッチ点とｎ個の各タッチ点の間の距離関係と指定座標系上で指定タッチ点を基準としてｎ個のタッチ点により形成される角度関係を含む。ここで、指定座標系は、指定タッチ点とｎ個のタッチ点間の幾何学的位置関係を解釈する基準になる座標系として、好ましくは、現実世界の度量衡単位(例えば、μｍ、ｍｍ、ｃｍ)または指定された論理単位からなった座標系を含む。しかし、実施方法によって無線端末５００のタッチスクリーン座標系を含むことが可能である。
【０１４０】
前記認証条件保存部６０５は、前記Ｎ個のタッチ部３００を具備した平板部４００を設計または製作する過程で、前記平板部４００にＮ個のタッチ部３００を具備するための設計上の計算された位置４２０と指定された位置４２５に対応する幾何学的位置関係を確認するかまたは指定された端末から入力を受けて、前記設計上の幾何学的位置関係を含むタッチ認証条件を指定された保存媒体６１０に保存することができる。
【０１４１】
本発明の実施方法によれば、前記認証条件保存部６０５は、前記設計上の幾何学的位置関係に対する設計上の許容誤差範囲に対応する設計上の誤差情報を確認し、前記設計上の幾何学的位置関係と設計上の誤差情報を含むタッチ認証条件を指定された保存媒体６１０に保存することができる。実計測位置関係が確認されなかった場合、前記タッチ認証条件を認証用で使用することができる。
【０１４２】
本発明の実施方法によれば、前記認証条件保存部６０５は、前記Ｎ個のタッチ部３００を具備した平板部４００に付与されるシリアルコードを確認し、前記タッチ認証条件とシリアルコードをマッピングして指定された保存媒体６１０に保存することができる。
【０１４３】
前記認証条件保存部６０５は、前記タッチスタンプ２００のタッチ部３００に対する幾何学的位置関係を登録するように指定された装置に具備された静電式タッチパネルに指定された回数以上繰り返しタッチされたＮ個のタッチ点に対する構成要素値を確認し、前記繰り返しタッチされた構成要素値と前記設計上の幾何学的位置関係をマッチングした後、比較して指定された誤差許容範囲内(例えば、ガウス(Ｇａｕｓｓｉａｎ)確率分布の９５％一致範囲内)でＮ個のタッチ点がタッチされるかを判別する。前記繰り返しタッチされた構成要素値が指定された誤差許容範囲内で前記設計上の幾何学的位置関係と一致するかまたは近接した場合、前記認証条件保存部６０５は、前記繰り返しタッチされた構成要素値に基礎した実計測誤差情報を算出し、前記設計上の幾何学的位置関係と前記算出された実計測誤差情報を含む幾何学的位置関係を生成した後、前記生成された幾何学的位置関係を含むタッチ認証条件を保存することができる。一方、前記繰り返しタッチされた構成要素値と前記設計上の幾何学的位置関係が指定された誤差許容範囲内に存在する場合、前記実計測誤差は、設計上の誤差に含まれることなので、前記認証条件保存部６０５は、前記設計上の幾何学的位置関係と前記設計上の誤差情報を含んで認証用で使用されるタッチ認証条件を保存することができる。
【０１４４】
本発明の実施方法によれば、前記認証条件保存部６０５は、登録用で指定された装置から登録対象タッチスタンプ２００の平板部４００に付与されたシリアルコードを受信し、前記受信されたシリアルコードを利用して誤差情報を算出する設計上の幾何学的位置関係を確認する。前記認証条件保存部６０５は、下記のタッチ点確認部６２０を通じて前記登録用装置の静電式タッチパネルに指定された回数以上繰り返しタッチされた構成要素値を確認し、下記のタッチ点認証部６３０と連携して前記確認された各タッチ点の相互位置関係が有効であるかを確認し、下記のタッチ点識別部６３５及び位置関係算出部６４０と連携して前記繰り返しタッチされたＮ個のタッチ点に対する実計測位置関係を確認し、前記実計測位置関係に含まれた距離関係及び角度関係と前記シリアルコードを通じて確認されたタッチ認証条件に対応する設計上の幾何学的位置関係に含まれた距離関係及び角度関係を比較して、前記設計上の幾何学的位置関係を基準として前記実計測位置関係が指定された誤差許容範囲内に存在するかを確認する。前記実計測位置関係が指定された誤差許容範囲を脱したら、前記製作されたタッチスタンプ２００の平板部４００は、前記指定された誤差許容範囲に属するように誤差補正されるかまたは分解後に再製作される手続きが実行されることが好ましい。このために、前記認証条件保存部６０５は、前記製作されたタッチスタンプ２００の平板部４００の誤差補正または再製作するために必要な情報を出力し、これに隋伴される業務を指示することができる。一方、前記登録用装置の静電式タッチスクリーン５０５に繰り返しタッチされた構成要素値が指定された誤差許容範囲内に存在する場合、前記認証条件保存部６０５は、前記繰り返しタッチされた構成要素値に基礎した誤差情報(例えば、実計測誤差情報または設計上の誤差情報)を確認し、前記設計上の幾何学的位置関係と前記確認された誤差情報を含む幾何学的位置関係を生成した後、前記生成された幾何学的位置関係を含むタッチ認証条件を保存することができる。
【０１４５】
前記認証条件保存部６０５は、前記生成された幾何学的位置関係を含む各タッチスタンプ２００別にタッチ認証条件と各タッチスタンプ２００のシリアルコードをマッピングして指定された保存媒体６１０に保存することができる。一方、前記製作されたタッチスタンプ２００が特定位置(または地域)のスタンプ利用先(例えば、前記タッチスタンプ２００を利用して指定されたサービスを提供する加盟店など)に供給された場合、前記認証条件保存部６０５は、前記利用先に具備された端末装置１１０から前記タッチスタンプ２００のシリアルコードと前記利用先の位置領域情報(例えば、アドレス情報、地域情報など)を受信し、前記シリアルコードを基盤として前記利用先に提供されたタッチスタンプ２００に対応するタッチ認証条件を確認する。前記シリアルコードとマッピングされたタッチ認証条件が確認されなイ場合、前記認証条件保存部６０５は、前記利用先の端末装置１１０で前記認証コードに対応するタッチスタンプ２００に対する未登録エラーを伝送する。
一方、前記シリアルコードとマッピングされたタッチ認証条件が確認されると、前記認証条件保存部６０５は、前記確認されたタッチ認証条件と前記利用先の位置領域情報をマッピングして保存媒体６１０に保存することができる。
【０１４６】
図６を参照すれば、前記タッチ認証システム６００は、無線端末５００の静電式タッチスクリーン５０５を通じてタッチされたＮ個のタッチ点に対する構成要素値を含むタッチ認識情報を受信する情報受信部６１５と、前記タッチ認識情報に含まれた構成要素値に対応する構成要素値を確認するタッチ点確認部６２０と、前記タッチ認識情報を利用して無線端末５００の位置情報を確認する位置情報確認部６２５と、を具備する。
【０１４７】
前記情報受信部６１５は、無線端末５００のアプリケーションから伝送されたタッチ認識情報を受信する。前記タッチ認識情報は、無線端末５００の静電式タッチスクリーン５０５にタッチされたＮ個のタッチ点に対する構成要素値を含み、実施方法によって前記無線端末５００の固有情報及び/または位置情報をさらに含むことができる。または、前記タッチ認識情報は、前記タッチスタンプ２００から出力されたサウンド信号またはＮＦＣ基盤無線周波数信号に含まれた固有コードまたはワンタイムコードをさらに含むことができる。
【０１４８】
前記タッチ点確認部６２０は、前記タッチ認識情報に含まれたＮ個のタッチ点に対する構成要素値を確認する。前記構成要素値がタッチスクリーン座標系の座標値を含む場合、前記タッチ点確認部６２０は、前記構成要素値を前記タッチ認証条件に含まれた幾何学的位置関係に対応する座標系に座標変換することができる。一方、前記座標変換は、下記のタッチ点認証部６３０またはタッチ点識別部６３５または位置関係算出部６４０で実行されることができる。
【０１４９】
前記位置情報確認部６２５は、前記タッチ認識情報に含まれたＮ個のタッチ点に対する無線端末５００の位置情報を確認する。前記タッチ認識情報に無線端末５００の位置情報が含まれない場合、前記位置情報確認部６２５は、前記無線端末５００と無線区間が形成された基地局または無線ＡＰを利用して算出される位置に対応するセル(Ｃｅｌｌ)基盤の位置情報を確認することができる。
【０１５０】
図６を参照すれば、前記タッチ認証システム６００は、前記タッチ認識情報に含まれた構成要素値を利用してＮ個の各タッチ点の間の相互位置関係を判読し、前記判読された相互位置関係が設計製作されたタッチスタンプ２００のタッチ部３００を静電式タッチスクリーンにタッチして形成されることができる位置関係を含むかを認証するタッチ点認証部６３０を具備する。
【０１５１】
前記タッチ点認証部６３０は、前記タッチ点確認部６２０を通じて確認された構成要素値を判読して前記Ｎ個のタッチ点が有効なタッチスタンプ２００の平板部４００に具備されたＮ個のタッチ部３００によりタッチされたタッチ点であるかを認証する。
【０１５２】
本発明の実施方法によれば、前記タッチ点認証部６３０は、前記ｎ個のタッチ点間の距離またはＮ個のタッチ点間の距離を計算し、前記計算されたタッチ点間の距離が有効なタッチスタンプ２００に対して設定された最小区別認識距離より大きいかあるいは同一であるかを判読することで、前記Ｎ個のタッチ点が本発明による設計方式に従って設計及び製作された有効なタッチスタンプ２００のタッチ点であることを認証することができる。距離比較は、同一な座標系上の座標距離を基準として比較され、このために、座標変換が実行されることができる。前記タッチ点間の距離の中でいずれか一つでも指定された許容誤差範囲内で前記設定された最小区別認識距離より小さい場合、前記Ｎ個のタッチ点は、有効なタッチスタンプ２００のタッチ点ではないと判断することができる。
【０１５３】
本発明の実施方法によれば、前記タッチ点認証部６３０は、Ｎ個のタッチ点を連結した線分により形成されるＮ角形の構造条件を設定して維持している。ここで、前記Ｎ角形の構造条件は、有効なタッチスタンプ２００の平板部４００の平板領域４０５を分割したｎ個の分割領域４１０のうち、(ｎ−１)個の分割領域４１０には、指定された接触面積を有した１個のタッチ部３００が具備され、いずれか一つの指定領域４１５には、指定タッチ部３００を含む２個のタッチ部３００が具備されることによって、前記Ｎ角形が有するようになる幾何学的特性を判読するための一つ以上の条件を含む。例えば、前記Ｎ角形の構造条件は、前記タッチ部３００の接触面積大きさ、最小区別認識距離、最小識別距離、平板領域４０５を分割する方式及び平板領域４０５上で使用されない余白領域などを基盤として形成可能なＮ角形に対する幾何学的特性に対する条件、及び/または形成不可能な幾何学的特性に対する条件を含むことができる。前記Ｎ角形の構造条件が設定された場合、前記タッチ点認証部６３０は、前記Ｎ個のタッチ点を連結してＮ角形を形成し、前記設定されたＮ角形の構造条件を通じて前記形成されたＮ角形の幾何学的特性を判読することで、前記Ｎ個のタッチ点が本発明による設計方式に従って設計及び製作された有効なタッチスタンプ２００のタッチ点であることを認証することができる。
【０１５４】
前記構成要素値が前記指定座標系に座標変換された場合、前記タッチ点認証部６３０は、前記指定座標系上の情報に設定された値を利用してＮ個の各タッチ点間の相互位置関係を判読することが好ましい。前記構成要素値が前記指定座標系に座標変換されない状態である場合、前記タッチ点認証部６３０は、前記構成要素値を前記指定座標系に座標変換した後に相互位置関係を判読することができる。
【０１５５】
図６を参照すれば、前記タッチ認証システム６００は、前記ｎ個の分割領域４１０に対する分割領域情報を通じて前記構成要素値を判読して前記指定領域４１５の指定された位置４２５に具備された指定タッチ点を識別するタッチ点識別部６３５と、前記識別された指定タッチ点とｎ個の各タッチ点の間の認証対象の幾何学的位置関係を算出する位置関係算出部６４０と、前記算出された指定タッチ点とｎ個の各タッチ点の間の認証対象の幾何学的位置関係と前記タッチ認証条件の幾何学的位置関係をマッチングし比較して認証するタッチ認証処理部６４５と、を具備する。
【０１５６】
前記タッチ点識別部６３５は、前記タッチ点確認部６２０を通じて確認された構成要素値または前記タッチ点認証部６３０を通じて認証された構成要素値を前記ｎ個の分割領域４１０に対する分割領域情報とマッチングさせる。前記分割領域情報が前記指定座標系上の座標領域情報に設定されている場合、前記タッチ点識別部６３５は、前記指定座標系に座標変換された構成要素値を前記分割領域情報とマッチングさせて、前記構成要素値は、前記タッチ点確認部６２０またはタッチ点認証部６３０を通じて前記指定座標系に座標変換された状態であるか、または前記タッチ点識別部６３５により前記指定座標系に座標変換されることができる。
【０１５７】
本発明の第１指定タッチ点識別方式によれば、前記タッチ点識別部６３５は、前記分割領域情報と構成要素値をマッチングさせるため、前記Ｎ個のタッチ点の中でいずれか一つの点を仮想の指定タッチ点で決めた後、前記仮想の指定タッチ点と分割領域情報をマッチングさせた後、前記仮想の指定タッチ点を基準としてｎ個のタッチ点を座標回転する過程を少なくとも１回実行することで、前記ｎ個の分割領域４１０のうち仮想の指定タッチ点が位置した指定領域４１５上に２個のタッチ点が存在し、残り(ｎ−１)個の分割領域４１０にはそれぞれ１個のタッチ点が存在するかを確認することができる。前記仮想の指定タッチ点が位置した指定領域４１５に２個のタッチ点が存在し、残り(ｎ−１)個の分割領域４１０にそれぞれ１個のタッチ点が存在する場合、仮想の指定タッチ点は本発明によって設計された指定位置に具備された指定タッチ点で識別されることができる。
【０１５８】
本発明の実施方法によれば、前記タッチ点識別部６３５は、前記分割領域情報と構成要素値をマッチングさせる過程を短縮するために、前記Ｎ個のタッチ点により形成されるＮ角形の幾何学的特性を基盤として前記Ｎ個のタッチ点のうち指定タッチ点である確率が高いタッチ点を予測し、前記予測されたタッチ点から優先的に仮想の指定タッチ点で決めてマッチングさせる過程を実行することができる。例えば、前記タッチ点識別部６３５は、前記Ｎ角形の各頂点の内角の中で１８０゜より大きい頂点が存在する場合に、該当頂点の両側にあるタッチ点を仮想の指定タッチ点で予測することができる。
【０１５９】
本発明の第２指定タッチ点の識別方式によれば、前記タッチ点識別部６３５は、設計上の仮想原点と分割領域情報をマッチングさせて前記Ｎ個のタッチ点の中でいずれか一つの点を仮想原点基準の指定タッチ点位置にマッチングさせた後、前記仮想原点を基準としてＮ個のタッチ点を座標回転する過程を少なくとも１回実行することで、前記ｎ個の分割領域４１０のうち指定領域４１５に２個のタッチ点が存在し、残り(ｎ−１)個の分割領域４１０にはそれぞれ１個のタッチ点が存在するかを確認することができる。前記指定領域４１５に２個のタッチ点が存在し、残り(ｎ−１)個の分割領域４１０にそれぞれ１個のタッチ点が存在する場合、仮想の指定タッチ点は、本発明によって設計された指定位置に具備された指定タッチ点で識別されることができる。
【０１６０】
前記Ｎ個のタッチ点の中で指定タッチ点が識別されると、前記位置関係算出部６４０は、前記識別された指定タッチ点とｎ個の分割領域４１０に具備されたｎ個の各タッチ点の間の距離関係と前記識別された指定タッチ点を基準として前記ｎ個のタッチ点により形成される角度関係を含む、前記指定タッチ点とｎ個の各タッチ点の間の認証対象の幾何学的位置関係を算出する。
【０１６１】
前記距離関係は、指定座標系上での座標距離を含む、前記座標距離は、指定座標系を基準として座標値を通じて算出される相対的座標距離を含み、実施方法によって前記指定座標系上での特定方向をさらに含むベクター値で表現されることができる。
【０１６２】
前記角度関係は、指定座標系上での座標角を含む。前記座標角は、前記指定タッチ点を基準点としてｎ個のタッチ点の中で２個のタッチ点が成す座標系上の角度を含むか、または前記指定座標系上の特定基準線を基準として前記指定タッチ点とｎ個の各タッチ点を連結した線分が成す角度を含むことができる。
【０１６３】
本発明の実施方法によれば、前記位置関係算出部６４０は、指定座標系上の座標値を基準として前記指定タッチ点とｎ個の各タッチ点の間の認証対象の幾何学的位置関係を算出することが好ましい。
【０１６４】
前記指定タッチ点とｎ個の各タッチ点の間の認証対象の幾何学的位置関係が算出されると、前記タッチ認証処理部６４５は、前記認証条件保存部６０５により保存されたタッチ認証条件の幾何学的位置関係と前記算出された指定タッチ点とｎ個の各タッチ点の間の認証対象の幾何学的位置関係を各タッチ点別にマッチングさせた後、距離及び角度を比較して一致するか指定された誤差範囲内に近接するかを確認する。前記算出された認証対象の幾何学的位置関係と前記タッチ認証条件の幾何学的位置関係が前記マッチングされたタッチ点別に一致するかまたは指定された誤差範囲内に近接する場合、前記タッチ点確認部６２０を通じて確認された構成要素値は、前記一致または近接したタッチ認証条件に対応するＮ個のタッチ部３００を具備したタッチスタンプ２００によるタッチで認証される。
【０１６５】
前記保存媒体６１０に保存されるタッチ認証条件とタッチスタンプ２００利用先の位置領域情報がマッピングされ保存されて前記無線端末５００の位置情報が確認された場合、前記タッチ認証処理部６４５は、前記保存媒体６１０に保存されたタッチ認証条件の中で前記受信された位置情報とマッチングされる位置領域情報とマッピングされた比較対象タッチ認証条件を確認し、前記比較対象タッチ認証条件の幾何学的位置関係と前記算出された認証対象の幾何学的位置関係を優先的に指定された誤差範囲内で一致または近接するかを比較することで、前記算出された認証対象の幾何学的位置関係と保存媒体６１０に保存された各タッチスタンプ２００別にタッチ認証条件の幾何学的位置関係を比較認証するために必要となる時間を短軸することができる。
【０１６６】
前記タッチ認証処理部６４５は、前記構成要素値を認証した結果(例えば、認証エラー結果または認証成功結果)を生成し、前記生成されたタッチ認証結果を前記構成要素値を受信した経路の逆方向に伝送する。前記タッチ認証結果は、前記無線端末５００のアプリケーションを通じて出力されるか、または前記無線端末５００のアプリケーションを通じて指定されたサービスを提供するための認証値で利用される。
【０１６７】
図６を参照すれば、前記タッチ認証システム６００は、前記タッチ認識情報にサウンドまたはＮＦＣを通じて認識された固有コードまたはワンタイムコードが含まれた場合、前記タッチ認識情報に含まれた固有コードまたはワンタイムコードを確認するコード確認部６５０と、前記タッチ認証条件を利用して前記固有コードまたはワンタイムコードを認証するコード認証部６５５)と、を具備し、前記タッチ認証処理部６４５は、前記構成要素値を認証した結果と前記固有コードまたはワンタイムコードを認証した結果を組み合わせてタッチ認証結果を生成し、前記生成されたタッチ認証結果を前記構成要素値を受信した経路の逆方向に伝送することができる。前記固有コードを認証するための認証条件は、前記固有コードと比較可能なコード値を含み、前記ワンタイムコードを認証するための認証条件は、前記タッチスタンプ２００のＮＦＣチップで前記ワンタイムコードを動的生成するために使用されたコード生成アルゴリズムと少なくとも一つのシード値を含むことができる。
【０１６８】
図７は、タッチ認証システム６００においてタッチスタンプ２００のタッチ認証条件を登録する過程を示した図である。
【０１６９】
タッチ認証システム６００は、タッチスタンプ２００の平板部４００を設計製作する過程で、前記平板部４００に具備されたＮ個のタッチ部３００に対する設計上の幾何学的位置関係を確認し(ステップＳ７００)、前記Ｎ個のタッチ部３００に対する設計上の幾何学的位置関係を保存する(ステップＳ７０５)、前記幾何学的位置関係は、設計上の誤差情報を含むことができる。前記設計上の幾何学的位置関係に対する実計測検証を実行しない場合、前記設計上の幾何学的位置関係と設計上の誤差情報を含むタッチ認証条件を生成し(ステップＳ７２５)、前記生成されたタッチ認証条件と前記タッチスタンプ２００のシリアルコードをマッピングして保存媒体６１０に保存することができる(ステップＳ７３０)。
【０１７０】
一方、前記設計上の幾何学的位置関係に対する実計測検証を実行する場合、前記タッチ認証システム６００は、指定された静電式タッチスクリーン５０５に前記タッチスタンプ２００に具備されたＮ個のタッチ部３００を指定された回数以上繰り返しタッチした実計測位置関係を確認する(ステップＳ７１０)。前記Ｎ個のタッチ部３００に対する実計測位置関係が確認されると、前記タッチ認証システム６００は、前記実計測位置関係が設計上の幾何学的位置関係の誤差許容範囲内に存在するかを確認する(ステップＳ７１５)。前記実計測位置関係が前記誤差許容範囲内に存在しない場合、前記タッチ認証システム６００は、前記タッチスタンプ２００の平板部４００に具備されたＮ個のタッチ部３００を補正する手続きを実行するか、または前記タッチスタンプ２００の平板部４００を再製作する手続きを実行する(ステップＳ７２０)。
【０１７１】
一方、前記実計測位置関係が前記誤差許容範囲内に存在する場合、前記タッチ認証システム６００は、前記タッチスタンプ２００の平板部４００に対する設計上の幾何学的位置関係と誤差情報を含むタッチ認証条件を生成し(ステップＳ７２５)、前記タッチスタンプ２００のシリアルコードと前記タッチ認証条件をマッピングして保存媒体６１０に保存する(ステップＳ７３０)。前記タッチ認証条件は、分割領域情報、最小区別認識距離及び最小識別距離の中で少なくとも一つの情報が共通的に含まれるか、または前記タッチ認証システム６００が前記タッチスタンプ２００のタッチ部３００をタッチしたＮ個のタッチ点を認証するために利用されるように連携されることができる。
【０１７２】
図８は、タッチ認証システム６００においてタッチスタンプ２００のタッチ認証条件とスタンプ利用先を連携登録する過程を示した図である。
【０１７３】
タッチ認証システム６００は、タッチスタンプ２００が提供されたスタンプ利用先の端末装置１１０から前記タッチスタンプ２００のシリアルコードと前記スタンプ利用先の位置領域情報を受信する(ステップＳ８００)。前記タッチ認証システム６００は、前記図７に示した過程を通じて保存媒体６１０に登録されたタッチ認証条件のうち前記受信されたシリアルコードとマッピングされたタッチ認証条件を確認する(ステップＳ８０５)。
【０１７４】
前記シリアルコードとマッピングされたタッチ認証条件が確認されない場合、前記タッチ認証システム６００は、前記端末装置１１０に前記タッチスタンプ２００に対する未登録エラー情報を構成して伝送する(ステップＳ８１０)。一方、前記シリアルコードとマッピングされたタッチ認証条件が確認されると、前記タッチ認証システム６００は、前記確認されたタッチ認証条件と前記受信されたスタンプ利用先の位置領域情報をマッピングして保存媒体６１０に保存する(ステップＳ８１５)。
【０１７５】
図９は、無線端末５００のアプリケーションでタッチスタンプ２００を利用したスタンプタッチを認識する過程を示した図である。
【０１７６】
無線端末５００は、アプリケーションが駆動または活性化されることによって(ステップＳ９００)、静電式タッチスクリーン５０５にタッチされたタッチ点に対するタッチイベントを確認し(ステップＳ９０５)、前記タッチイベントを判読してタッチスタンプ２００に具備されたＮ個のタッチ部３００をタッチしたスタンプタッチが認識されるかを確認する(ステップＳ９１０)。前記スタンプタッチは、前記静電式タッチスクリーン５０５にＮ個のタッチ点タッチされたタッチであるか、または固定タッチ条件、静的タッチ条件、動的タッチ条件の中で一つ以上の条件が追加適用されたタッチであることができる。
【０１７７】
前記スタンプタッチが認識されると、前記無線端末５００のアプリケーションは、前記タッチスタンプ２００に具備されたＮ個のタッチ部３００に対応するＮ個のタッチ点に対する構成要素値を判読する(ステップＳ９１５)。前記Ｎ個のタッチ点に対する認証に前記無線端末５００の位置情報が利用される場合、前記無線端末５００のアプリケーションは、前記無線端末５００の位置情報を確認する(ステップＳ９２０)。
【０１７８】
前記無線端末５００のアプリケーションは、前記Ｎ個のタッチ点に対する構成要素値と無線端末５００の位置情報を含むタッチ認識情報を構成し(ステップＳ９２５)、指定された経路を通じて前記タッチ認識情報を伝送する(ステップＳ９３０)。前記タッチスタンプ２００にサウンド信号を出力する機能またはＮＦＣチップが具備されており、前記タッチスタンプ２００が静電式タッチスクリーン５０５にタッチされる時点で、前記サウンド信号または前記ＮＦＣチップから受信された無線周波数信号に符号化された固有コードまたはワンタイムコードが確認されると、前記無線端末５００のアプリケーションは、前記確認された固有コードまたはワンタイムコードを前記タッチ認識情報に含んで伝送することができる。
【０１７９】
図１０は、タッチスタンプ２００に具備されたＮ個のタッチ部３００を静電式タッチスクリーン５０５にタッチしたスタンプタッチを認証する過程を示した図である。
【０１８０】
タッチ認証システム６００は、指定された経路を通じて前記図９に図示された過程を通じて無線端末５００のアプリケーションから伝送されたタッチ認識情報を受信し(ステップＳ１０００)、前記タッチ認識情報に含まれたＮ個のタッチ点に対する構成要素値を確認する(ステップＳ１００５)。
【０１８１】
前記タッチ認証システム６００は、前記構成要素値を根拠として前記Ｎ個のタッチ点に対する相互位置関係を判読することで、前記構成要素値に対応するＮ個のタッチ点が有効に設計製作されたタッチスタンプ２００のタッチ点であるかを認証する(ステップＳ１０１０)。認証結果、前記Ｎ個のタッチ点が有効なタッチスタンプ２００のタッチ点ではない場合、前記タッチ認証システム６００は、前記Ｎ個のタッチ点に対する認証エラー結果を生成し(ステップＳ１０４０)、指定された経路を通じて前記認証エラー結果を含むタッチ認証結果を伝送する(ステップＳ１０５０)。
【０１８２】
認証結果、前記Ｎ個のタッチ点が有効なタッチスタンプ２００のタッチ点である場合、前記タッチ認証システム６００は、前記タッチスタンプ２００の平板部４００を製作する過程で、設計上適用されたｎ個の分割領域４１０に対する分割領域情報を通じて前記構成要素値を判読し、ｎ個の分割領域４１０のうち指定領域４１５上の指定された位置４２５に具備されたタッチ部３００に対応する指定タッチ点を識別する(ステップＳ１０１５)。
前記指定タッチ点が識別されないと、前記タッチ認証システム６００は、前記Ｎ個のタッチ点に対する認証エラー結果を生成し(ステップＳ１０４０)、指定された経路を通じて前記認証エラー結果を含むタッチ認証結果を伝送する(ステップＳ１０５０)。
【０１８３】
前記Ｎ個のタッチ点の中で指定タッチ点が識別されると、前記タッチ認証システム６００は、前記識別された指定タッチ点とｎ個の各タッチ点の間の認証対象の幾何学的位置関係を算出する(ステップＳ１０２０)。一方、前記図８に示した過程を通じてタッチ認証条件とスタンプ利用先の位置領域情報がマッピングされている場合、前記タッチ認証システム６００は、前記タッチ認識情報を根拠として無線端末５００の位置情報を確認し、前記無線端末５００の位置情報と前記タッチ認証条件の位置領域情報を比較して保存媒体６１０に保存された複数のタッチ認証条件のうち前記算出された認証対象の幾何学的位置関係と比較される一つ以上の比較対象タッチ認証条件を確認し(ステップＳ１０２５)、前記比較対象タッチ認証条件の幾何学的位置関係と前記算出された認証対象の幾何学的位置関係をマッチングし比較する(ステップＳ１０３０)。前記タッチ認証条件がスタンプ利用先の位置領域情報とマッチングされない場合、前記保存媒体６１０に保存された全体タッチ認証条件に対する幾何学的位置関係を比較する過程を実行することができる。
【０１８４】
前記タッチ認証システム６００は、前記認証対象の幾何学的位置関係と一致するかまたは指定された許容誤差範囲内に近接した幾何学的位置関係を含むタッチ認証条件を確認する(ステップＳ１０３５)。前記認証対象の幾何学的位置関係と一致するかまたは指定された許容誤差範囲内に近接した幾何学的位置関係を含むタッチ認証条件が確認されると、前記タッチ認証システム６００は、前記認証対象の幾何学的位置関係に対応するスタンプタッチが前記確認されたタッチ認証条件に対応するタッチスタンプ２００をタッチしたことで認証することができる。
【０１８５】
前記認証対象の幾何学的位置関係が認証されないと、前記タッチ認証システム６００は、前記Ｎ個のタッチ点に対する認証エラー結果を生成し(ステップＳ１０４０)、指定された経路を通じて前記認証エラー結果を含むタッチ認証結果を伝送する(ステップＳ１０５０)。一方、前記認証対象の幾何学的位置関係が認証されると、前記タッチ認証システム６００は、前記Ｎ個のタッチ点に対する認証成功結果を生成し(ステップＳ１０４５)、指定された経路を通じて前記認証成功結果を含むタッチ認証結果を伝送する(Ｓ１０５０)。
【０１８６】
前記タッチ認識情報にサウンドまたはＮＦＣを通じて認識された固有コードまたはワンタイムコードが含まれた場合、前記タッチ認証システム６００は、タッチ認証条件を利用して前記タッチ認識情報に含まれた固有コードまたはワンタイムコードに対する認証手続きを実行し、前記認証対象の幾何学的位置関係を認証した結果と前記固有コードまたはワンタイムコードを認証した結果を組み合わせたタッチ認証結果を生成した後、指定された経路を通じて前記生成されたタッチ認証結果を伝送することができる(ステップＳ１０５０)。 
【０１８７】
図１１は、本発明の第２実施方法による無線端末５００の構成と無線端末５００に具備されたアプリケーションの機能構成を示した図である。
【０１８８】
本発明の第２実施方法は、静電式タッチスクリーン５０５が具備されたユーザ所有の無線端末５００で、Ｎ個のタッチ部３００を具備したタッチスタンプ２００を利用したスタンプタッチを認識し、予め登録されたタッチ認証条件を利用して前記スタンプタッチを認証する実施方法である。
【０１８９】
前記第２実施方法は、前記図５に示したアプリケーションの機能構成のうち情報伝送部及び認証結果受信部の代わりに前記図６に示したタッチ認証システム６００のタッチ認証条件のうち特定認証対象タッチスタンプ２００に対するタッチ認証条件を保存し、前記図６に示したタッチ点認証部６３０、タッチ点識別部６３５、位置関係算出部６４０、タッチ認証処理部６４５をアプリケーション内に機能的に具現することで実施することができる。
【０１９０】
前記第２実施方法で、無線端末５００に具備されるタッチ認証条件は、前記アプリケーション上のプログラムコード形態で保存されるか、または前記無線端末５００のメモリー部５１４に保存されるデータ形態で保存されることができ、前記アプリケーションが認証する特定認証対象タッチスタンプ２００に対するタッチ認証条件を選択的に保存することが好ましい。前記タッチ認証条件がデータ形態で保存される場合、前記タッチ認証条件は、図６に示した保存媒体６１０に登録されたタッチ認証条件をダウンロードして保存することができる。
【０１９１】
前記タッチ点認証部６３０は、前記スタンプタッチ判読部を通じて判読された構成要素値を基盤としてＮ個の各タッチ点間の相互位置関係を判読して有効なタッチスタンプ２００のタッチ点であるかを認証することができる。前記タッチ点識別部６３５も、前記スタンプタッチ判読部を通じて判読された構成要素値を基盤としてｎ個の分割領域４１０のうち指定領域４１５上の指定された位置４２５に具備された指定タッチ点を識別することができる。
【０１９２】
前記タッチスタンプ２００からサウンドまたはＮＦＣを通じて固有コードまたはワンタイムコードが認識される場合、前記アプリケーションは、前記図６にコード認証部６５５を機能的にさらに具備することができる。前記コード認証部６５５は、前記サウンド認識部またはＮＦＣ 認識部を通じて認識された固有コードまたはワンタイムコードを認証することができる。
【０１９３】
本発明が属した技術分野において通常の知識を有した者であれば、図７〜図１０の過程を選択的に組み合わせて無線端末５００のアプリケーションがタッチ認証条件を保存し、スタンプタッチによるＮ個のタッチ点を認識し、前記タッチ認証条件を通じて前記Ｎ個のタッチ点を認証する過程を類推することができるので、これに対する詳細な説明は、便宜上省略する。
【符号の説明】
【０１９４】
１００：運営サーバ  １０５：中継サーバ  １１０：端末装置  ２００：タッチスタンプ  ２０５：取っ手部  ２１０：スプリング部  ２１５：アダプタ部  ２２０：ガイド部  ２２５：ハウジング部  ３００：タッチ部  ３０５：埋め込み板  ３１０：タッチ具現部  ３１５：接触面  ４００：平板部  ４０５：平板領域  ４１０：分割領域  ４１５：指定領域  ４２０：計算された位置  ４２５：指定された位置  ５００：無線端末  ５０５：静電式タッチスクリーン  ５２０：スタンプタッチ認識部  ５２５：スタンプタッチ判読部  ５３０：位置確認部  ５３５：サウンド認識部  ５４０：ＮＦＣ認識部  ５４５：情報伝送部  ５５０：認証結果受信部  ５５５：サービス手続き実行部  ６００：タッチ認証システム  ６０５：認証条件保存部  ６１０：保存媒体  ６１５：情報受信部  ６２０：タッチ点確認部  ６２５：位置情報確認部  ６３０：タッチ点認証部  ６３５：タッチ点識別部  ６４０：位置関係算出部  ６４５：タッチ認証処理部  ６５０：コード確認部  ６５５：コード認証部
【図１】
0006758254.tif 000002
【図２Ａ】
0006758254.tif 000003
【図２Ｂ】
0006758254.tif 000004
【図３】
0006758254.tif 000005
【図４Ａ】
0006758254.tif 000006
【図４Ｂ】
0006758254.tif 000007
【図４Ｃ】
0006758254.tif 000008
【図４Ｄ】
0006758254.tif 000009
【図５】
0006758254.tif 000010
【図６】
0006758254.tif 000011
【図７】
0006758254.tif 000012
【図８】
0006758254.tif 000013
【図９】
0006758254.tif 000014
【図１０】
0006758254.tif 000015
【図１１】
0006758254.tif 000016